(57)【要約】【課題】  フィールド試験の効率性を高めた無線通信端末試験方法、無線通信端末試験システム、および無線通信端末を得る。【解決手段】  無線通信端末１は、未だ動作が完全に保証されない試験用無線通信方式・試験用通信プロトコルスタック、および、既に動作が完全に保証される動作確認済無線通信方式・試験用通信プロトコルスタックの両方を搭載し、自身の動作の詳細情報を示すログをログ採取用不揮発性メモリ１１にストアする。このストアされたログはログ解析機能付き無線通信装置２に送信され、ログ解析用ソフトウェア（２８）を走らせて解析する。本解析の結果、問題点が検出されれば、動作確認済ソフトウェア（２５）を用いてこの問題点が修正・更新されたソフトウェアを、無線通信端末１に送信する。ソフトウェアのバグがなくなるまでこれらの手順を繰り返し、試験用ソフトウェアの改善を図る。【選択図】  図１
2005071324.tif 000002
【特許請求の範囲】
【請求項１】
ソフトウェア無線技術を適用する無線通信端末試験方法において、
無線通信端末は、正常な内部動作に関するログ情報、および試験対象としての試験用無線通信処理ソフトウェアを用いた通信動作試験における内部動作に関するログ情報を格納し、
前記無線通信端末が通信動作試験を実施すると、
前記無線通信端末、もしくは前記無線通信端末と無線で接続される無線通信装置のいずれか一方が前記試験用無線通信処理ソフトウェアに基づく内部動作情報を示すログ情報を解析し、前記無線通信装置が前記通信動作試験における内部動作に関するログ情報を修正・更新して前記無線通信端末に送信し、前記通信動作試験の実施から前記修正・更新までのフィードバックループを、前記試験用無線通信処理ソフトウェアを用いた通信動作試験における内部動作に関するログ情報が正常になるまで繰り返すことを特徴とする無線通信端末試験方法。
【請求項２】
ソフトウェア無線技術を適用する無線通信端末試験方法において、
未だ動作が完全に保証されていない試験用無線通信方式のプログラム、および、既に動作が完全に保証されている動作確認済無線通信方式のプログラム両プログラムを無線通信端末に搭載し、
第一に、前記無線通信端末は、前記試験用無線通信方式のプログラムを用いて通信動作試験を実施し、
第二に、前記無線通信端末は、前記無線通信端末の内部動作に関するログ情報を出力すると共に、前記通信動作試験実施中に、前記ログ情報を前記無線通信端末が具備する端末側メモリに格納し、
第三に、前記無線通信端末は、前記通信動作試験終了後に、前記動作確認済無線通信方式のプログラムを用いて前記端末側メモリに格納されたログ情報をログ解析機能付き無線通信装置に送信し、
第四に、前記ログ解析機能付き無線通信装置は、前記ログ情報を受信した後に、前記通信動作試験実施中の無線通信端末の内部動作に関するログ情報を解析し、前記通信動作試験実施中に問題点を検出した場合には、前記試験用無線通信方式のプログラムの修正・更新を実施し、
前記第一から前記第四までの処理で構成されるフィードバックループを繰り返し実施することにより、前記試験用無線通信方式の改善を図ることを特徴とする無線通信端末試験方法。
【請求項３】
ソフトウェア無線技術を適用する無線通信端末試験方法において、
未だ動作が完全に保証されていない試験用無線通信方式のプログラム、および動作が完全に保証されている動作確認済無線通信方式のプログラムの両プログラムを無線通信端末に搭載し、
第一に、前記無線通信端末は、前記試験用無線通信方式のプログラムを用いて通信動作試験を実施し、
第二に、前記無線通信端末は、前記無線通信端末の内部動作に関するログ情報を出力すると共に、前記通信動作試験実施中に、前記ログ情報を前記無線通信端末が具備する端末側メモリに格納し、
第三に、前記無線通信端末は、前記通信動作試験終了後に、前記動作確認済無線通信方式のプログラムを用いて前記端末側メモリに格納されたログ情報をログ解析機能付き無線通信装置に送信し、
第四に、前記解析機能付き無線通信装置は、前記ログ情報を受信した後に、前記通信動作試験実施中の無線通信端末の内部動作に関するログ情報を解析し、
第五に、前記ログ解析機能付き無線通信装置は、前記通信動作試験実施中に問題点を検出した場合には、前記動作確認済無線通信方式のプログラムを用いて前記試験用無線通信方式のプログラムの修正・更新を実施し、問題点が修正・更新された試験用無線通信方式のプログラムおよびデータを含むソフトウェアを前記無線通信端末に送信し、
第六に、前記無線通信端末は、修正・更新されたソフトウェアを他の端末側メモリに格納し、その後、さらに他の端末側メモリに転送し、
前記第一から第六までの処理で構成されるフィードバックループを繰り返すことにより、前記試験用無線通信方式の改善を図ることを特徴とする無線通信端末試験方法。
【請求項４】
ソフトウェア無線技術を適用する無線通信端末試験方法において、
未だ動作が完全に保証されていない試験用無線通信プロトコルスタック、および既に動作が完全に保証されている動作確認済通信プロトコルスタックの両プロトコルスタックを無線通信端末に搭載し、
第一に、前記無線通信端末は、前記試験用無線通信プロトコルスタックを用いて通信動作試験を実施し、
第二に、前記無線通信端末は、前記無線通信端末の内部動作に関する正常時と通信動作試験時のログ情報を出力すると共に、前記通信動作試験実施中に、前記ログ情報を前記無線通信端末が具備する端末側メモリに格納し、
第三に、前記無線通信端末は、前記通信動作試験終了後に、前記動作確認済通信プロトコルスタックを用いて前記端末側メモリに格納されたログ情報をログ解析機能付き無線通信装置に送信し、
第四に、前記ログ解析機能付き無線通信装置は、前記ログ情報を受信した後に、前記通信動作試験実施中の無線通信端末の内部動作情報を示すログ情報を解析し、前通信記動作試験実施中に問題点を検出した場合には、前記動作確認済通信プロトコルスタックを用いて前記試験用無線通信プロトコルスタックの修正・更新を実施し、
前記第一から第四までの処理で構成されるフィードバックループを繰り返すことにより、前記試験用無線通信プロトコルスタックの改善を図ることを特徴とする無線通信端末試験方法。
【請求項５】
ソフトウェア無線技術を適用する無線通信端末試験方法において、
未だ動作が完全に保証されていない試験用無線通信プロトコルスタック、および既に動作が完全に保証されている動作確認済無線通信プロトコルスタックの両プロトコルスタックを無線通信端末に搭載し、
第一に、前記無線通信端末は、前記試験用無線通信プロトコルスタックを用いて通信動作試験を実施し、
第二に、前記無線通信端末は、前記無線通信端末の正常時と通信動作試験時の内部動作に関するログ情報を出力すると共に、前記通信動作試験実施中に、前記ログ情報を前記無線通信端末が具備する端末側メモリに格納し、
第三に、前記無線通信端末は、前記通信動作試験終了後に、前記動作確認済無線通信プロトコルスタックを用いて前記端末側メモリに格納されたログ情報をログ解析機能付き無線通信装置に送信し、
第四に、前記ログ解析機能付き無線通信装置は、前記ログ情報を受信した後に、前記通信動作試験実施中の無線通信端末の内部動作に関するログ情報を解析し、
第五に、前記ログ解析機能付き無線通信装置は、前記通信動作試験実施中に問題点を検出した場合には、前記動作確認済無線通信プロトコルスタックを用いて前記試験用無線通信プロトコルスタックのプログラムおよびデータを含むソフトウェアの修正・更新を実施し、問題点が修正・更新された試験用無線通信プロトコルスタックのソフトウェアを前記無線通信端末に送信し、
第六に、前記無線通信端末は、修正・更新された前記試験用無線通信プロトコルスタックのソフトウェアを他の端末側メモリに格納し、その後、さらに他の端末側メモリに転送し、
前記第一から第六までの処理で構成されるフィードバックループを繰り返すことにより、前記試験用無線通信プロトコルスタックの改善を図ることを特徴とする無線通信端末試験方法。
【請求項６】
前記無線通信端末は、
前記無線通信端末の内部動作に関するログ情報をリアルタイムに解析し、
未だ動作が完全に保証されていない試験用無線通信方式のプログラムの通信動作試験の実施中に、前記ログ情報をリアルタイムに解析し、前記無線通信端末の動作状態の問題点を検出した場合に、その状況に応じて、前記通信動作試験を中断し、既に動作が完全に保証されている動作確認済無線通信方式のプログラムへ切り替え、前記ログ情報および前記無線通信端末が解析したログ情報の解析結果を前記ログ解析機能付き無線通信装置に自動的に送信することを特徴とする請求項２または３記載の無線通信端末試験方法。
【請求項７】
前記無線通信端末は、
前記無線通信端末の内部動作に関するログ情報をリアルタイムに解析し、
未だ動作が完全に保証されない試験用無線通信プロトコルスタックの通信動作試験の実施中に、前記ログ情報をリアルタイムに解析し、前記無線通信端末の動作状態の問題点を検出した場合に、その状況に応じて、前記通信動作試験を中断し、既に動作が完全に保証されている動作確認済通信プロトコルスタックへ切り替え、前記ログ情報および前記無線通信端末が解析したログ情報の解析結果を前記ログ解析機能付き無線通信装置に自動的に送信することを特徴とする請求項４または５記載の無線通信端末試験方法。
【請求項８】
ソフトウェア無線技術を適用する無線通信端末試験方法において、
未だ動作が完全に保証されていない試験用無線通信プロトコルスタック、および、既に動作が完全に保証されている動作確認済無線通信プロトコルスタックの両プロトコルスタックを無線通信端末に搭載し、
第一に、前記無線通信端末は、前記試験用無線通信プロトコルスタックを用いて通信動作試験を実施し、
第二に、前記無線通信端末は、前記無線通信端末の内部動作に関するログ情報を知るために、前記通信動作試験実施中に、ログ情報を前記無線通信端末が具備する端末側メモリに格納し、
第三に、前記無線通信端末は、前記通信動作試験終了後に、前記端末側メモリに格納されたログ情報はログ解析機能付き無線通信装置にアップロードして解析するために、前記ログのアップロード範囲を決定するログアップロード範囲テーブルの設定に応じて、前記動作確認済無線通信プロトコルスタックを用いて前記ログ解析機能付き無線通信装置に前記ログを送信し、
第四に、前記ログ解析機能付き無線通信装置は、前記動作確認済無線通信プロトコルスタックを用いて前記ログ情報を受信し、
第五に、前記ログ解析機能付き無線通信装置は、前記ログ情報を解析し、
第六に、前記ログ解析機能付き無線通信装置は、前記ログ情報の解析結果より、前記無線通信端末の前記試験用無線通信プロトコルスタックにおける問題点を修正し、データを含む修正済試験用プログラムを前記動作確認済試験用無線通信プロトコルスタックを用いて前記無線通信端末に送信し、
第七に、前記無線通信端末は、前記動作確認済無線通信プロトコルスタックを用いて前記プログラムを受信し、前記無線通信端末が具備する試験用プログラムダウンロード用の端末側メモリに格納し、
第八に、前記無線通信端末は、前記試験用無線通信プロトコルスタックのプログラムを動作させるメモリである前記無線通信端末が具備するプログラム動作用の他の端末側メモリに前記プログラムを転送し、
前記第一から前記第八までの処理で構成されるフィードバックループを繰り返し実施することにより、前記試験用無線通信方式の改善を図ることを特徴とする無線通信端末試験方法。
【請求項９】
ソフトウェア無線技術を適用する無線通信端末試験方法において、
未だ動作が完全に保証されていない試験用無線通信方式のプログラム、既に動作が完全に保証されている動作確認済無線通信方式のプログラム、未だ動作が完全に保証されていない試験用無線通信プロトコルスタック、および既に動作が完全に保証されている動作確認済無線通信プロトコルスタックの両プログラム、および両プロトコルスタックを無線通信端末に搭載し、
第一に、前記無線通信端末は、前記試験用無線通信方式と前記試験用無線通信プロトコルスタックとを用いて通信動作試験を実施し、
第二に、前記無線通信端末は、前記無線通信端末の内部動作情報を知るために、前記通信動作試験実施中に、ログ情報を前記無線通信端末が具備する端末側メモリに格納し、
第三に、前記無線通信端末は、前記通信動作試験終了後に、ログ解析機能付き無線通信装置にアップロードしてログ情報を解析するために、前記動作確認済無線通信方式と前記動作確認済無線通信プロトコルスタックとを用いて前記端末側メモリに格納されたログ情報を前記ログ解析機能付き無線通信装置に送信し、
第四に、前記ログ解析機能付き無線通信装置は、前記動作確認済無線通信方式と前記動作確認済無線通信プロトコルスタックとを用いて前記ログ情報を受信し、
第五に、前記ログ解析機能付き無線通信装置は、前記ログ情報を解析し、
第六に、前記ログ解析機能付き無線通信装置は、前記ログ情報の解析結果より、前記無線通信端末の前記試験用無線通信方式のプログラムと前記試験用無線通信プロトコルスタックとにおける問題点を修正し、
前記第一から前記第六までの処理で構成されるフィードバックループを繰り返し実施することにより、前記試験用無線通信方式の改善を図ることを特徴とする無線通信端末試験方法。
【請求項１０】
ソフトウェア無線技術を適用する無線通信端末試験方法において、
未だ動作が完全に保証されていない試験用無線通信方式のプログラム、既に動作が完全に保証されている動作確認済無線通信方式のプログラム、未だ動作が完全に保証されていない試験用無線通信プロトコルスタック、および既に動作が完全に保証されている動作確認済無線通信プロトコルスタックの両プログラム、および両プロトコルスタックを無線通信端末に搭載し、
第一に、前記無線通信端末は、前記試験用無線通信方式のプログラムと前記試験用無線通信プロトコルスタックとを用いて通信動作試験を実施し、
第二に、前記無線通信端末は、前記無線通信端末の内部動作に関するログ情報を知るために、前記通信動作試験実施中に、前記ログ情報を前記無線通信端末が具備する端末側メモリに格納し、
第三に、前記無線通信端末は、前記通信動作試験終了後に、ログ解析機能付き無線通信装置にアップロードしてログ情報を解析するために、前記無線通信端末が具備する前記ログ情報のアップロード範囲を決定するログアップロード範囲テーブルの設定に応じて、前記動作確認済無線通信方式のプログラムと前記動作確認済無線通信プロトコルスタックを用いてログ解析機能付き無線通信装置に前記ログ情報を送信し、
第四に、前記ログ解析機能付き無線通信装置は、前記動作確認済無線通信方式のプログラムと前記動作確認済無線通信プロトコルスタックとを用いて前記ログ情報を受信し、
第五に、前記ログ解析機能付き無線通信装置は、前記ログ情報を解析し、
第六に、前記ログ解析機能付き無線通信装置は、前記ログ情報の解析結果より、前記無線通信端末の前記試験用無線通信方式のプログラムと前記試験用無線通信プロトコルスタックとにおける問題点を修正し、修正されたデータを含むプログラムを前記動作確認済無線通信方式のプログラムと前記動作確認済試験用無線通信プロトコルスタックを用いて該無線通信端末に送信し、
第七に、前記無線通信端末は、前記動作確認済無線通信方式と前記動作確認済無線通信プロトコルスタックを用いて前記プログラムを受信し、前記無線通信端末が具備するプログラムダウンロード用のバッファメモリに格納し、
第八に、前記無線通信端末は、前記試験用無線通信方式と前記試験用無線通信プロトコルスタックのプログラムを動作させるメモリである前記無線通信端末が具備するプログラム動作用の端末側メモリに前記プログラムを転送し、
前記第一から前記第八までの処理で構成されるフィードバックループを繰り返し実施することにより、前記試験用無線通信方式の改善を図ることを特徴とする無線通信端末試験方法。
【請求項１１】
前記通信動作試験における前記無線通信端末の発信および着信の作動について、
前記無線通信端末は、
前記無線通信端末が具備するリアルタイムログモニタ機能による前記無線通信端末の内部動作に関するログ情報、測定機能による測定値情報、タイマー機能による時刻情報、全地球測位機能による位置情報、および前記通信動作試験実施前に取得した無線通信システムのシステム情報の端末情報を監視し、
前記端末情報により構成される発信および着信の作動トリガ条件を前記無線通信端末が具備する発信および着信の作動トリガ条件テーブルに予め設定し、
前記作動トリガ条件が設定条件と一致した場合に、発信および着信を自動的に実施する
ことを特徴とする請求項８から１０のいずれか１項記載の無線通信端末試験方法。
【請求項１２】
前記通信動作試験における前記無線通信端末の通信終了の作動について、
前記無線通信端末は、
前記無線通信端末が具備するリアルタイムログモニタ機能による前記無線通信端末の内部動作に関するログ情報、測定機能による測定値情報、タイマー機能による時刻情報、全地球測位機能による位置情報、および前記通信動作試験実施前に取得した無線通信システムのシステム情報の端末情報を監視し、
前記端末情報により構成される通信終了の作動トリガ条件を前記無線通信端末が具備する通信終了の作動トリガ条件テーブルに予め設定し、
前記作動トリガ条件が設定条件と一致した場合に、通信終了を自動的に実施し、
さらに、前記端末情報により構成される通信終了正常動作の条件を前記無線通信端末が具備する通信終了正常動作条件テーブルに予め設定し、
前記作動トリガ条件が設定条件と一致した時、通信終了が正常動作したと判断し、
前記無線通信端末は、前記動作確認済無線通信プロトコルスタックへ自動的に切り替え、前記格納されたログ情報、および通信終了正常動作フラグをログ解析機能付き無線通信装置に自動的に送信し、
前記作動トリガ条件が設定条件と一致しなかった時、通信終了が異常動作したと判断し、
前記無線通信端末は、前記動作確認済無線通信プロトコルスタックへ強制的に切り替え、前記格納されたログ情報、および通信終了異常動作フラグをログ解析機能付き無線通信装置に自動的に送信し、
また、前記端末情報により構成される端末異常動作の条件を前記無線通信端末が具備する端末異常動作条件テーブルに予め設定し、
前記設定条件と一致した時、前記無線通信端末が異常動作したと判断し、
前記無線通信端末は、前記動作確認済無線通信プロトコルスタックへ強制的に切り替え、前記格納されたログ情報、および端末異常動作フラグをログ解析機能付き無線通信装置に自動的に送信し、
前記ログ情報は、少なくとも、前記試験実施後に取得した無線通信システムのシステム情報、および前記試験用無線通信のシーケンスパターンを含む
ことを特徴とする請求項８から１０のいずれか１項記載の無線通信端末試験方法。
【請求項１３】
前記通信動作試験における前記無線通信端末の通信終了の作動について、
前記無線通信端末は、
前記無線通信端末が具備するリアルタイムログモニタ機能による前記無線通信端末の内部動作の詳細情報を示すログ情報、測定機能による測定値情報、時刻機能による時刻情報、全地球測位機能による位置情報、および前記通信動作試験実施前に取得した無線通信システムのシステム情報の端末情報を監視し、
前記端末情報により構成される通信終了の作動トリガ条件を前記無線通信端末が具備する通信終了作動トリガ条件テーブルに予め設定し、
前記作動トリガ条件が設定条件と一致した場合に、通信終了を自動的に実施し、
さらに、前記端末情報により構成される通信終了正常動作の条件を前記無線通信端末が具備する通信終了正常動作条件テーブルに予め設定し、
前記作動トリガ条件が設定条件と一致した時、通信終了が正常動作したと判断し、
前記無線通信端末は、前記動作確認済無線通信方式のプログラムと前記動作確認済無線通信プロトコルスタックへ自動的に切り替え、前記格納されたログ情報、および通信終了正常動作フラグをログ解析機能付き無線通信装置に自動的に送信し、
前記作動トリガ条件が設定条件と一致しなかった時、通信終了が異常動作したと判断し、
前記無線通信端末は、前記動作確認済無線通信方式と前記動作確認済無線通信プロトコルスタックへ強制的に切り替え、前記格納されたログ情報、および通信終了異常動作フラグをログ解析機能付き無線通信装置に自動的に送信し、
また、前記端末情報により構成される端末異常動作の条件を前記無線通信端末が具備する端末異常動作条件テーブルに予め設定し、
前記作動トリガ条件が設定条件と一致した時、前記無線通信端末が異常動作したと判断し、
前記無線通信端末は、前記動作確認済無線通信方式のプログラムと前記動作確認済無線通信プロトコルスタックへ強制的に切り替え、前記格納されたログ情報、および端末異常動作フラグをログ解析機能付き無線通信装置に自動的に送信し、
前記ログ情報は、少なくとも、前記通信動作試験実施後に取得した無線通信システムのシステム情報、前記試験用無線通信方式の仕様を決定する無線通信方式パラメータ、および前記試験用無線通信のシーケンスパターンを含むことを特徴とする請求項８から１１のいずれか１項記載の無線通信端末試験方法。
【請求項１４】
前記測定値情報は、少なくとも、ＲＳＣＰ、ＲＳＳＩ、Ｅｃ／Ｎｏ、ＢＬＥＲ、およびＳＩＲを含むことを特徴とする請求項１１から１３のいずれか１項記載の無線通信端末試験方法。
【請求項１５】
ソフトウェア無線技術を適用した無線通信端末試験システムにおいて、
無線通信端末は、
通信動作試験における正常な内部動作に関するログ情報、および試験対象としての試験用無線通信処理ソフトウェアを用いた通信動作試験における内部動作に関するログ情報を格納する端末側メモリと、
通信動作試験を実施する端末側制御手段とを備え、
ログ解析機能付き無線通信装置は、
試験用無線通信処理ソフトウェアに基づく内部動作に関するログ情報を解析し、前記無線通信装置が前記ログ情報を修正・更新して前記無線通信端末に送信し、前記通信動作試験の実施から前記修正・更新までのフィードバックループを、前記試験用無線通信処理ソフトウェアを用いた通信動作試験における内部動作に関するログ情報が正常になるまで繰り返す装置側制御手段を備えたことを特徴とする無線通信端末試験システム。
【請求項１６】
無線通信端末は、
通信動作試験における正常な内部動作情報を格納する端末側メモリと、
前記試験用無線通信処理ソフトウェアが搭載されると通信動作試験を実施し、得られた内部動作に関するログ情報を解析機能付き無線通信装置に送信する端末側制御手段とを備え、
解析機能付き無線通信装置は、
前記無線通信端末から受信した前記正常な内部動作情報と前記通信動作試験中の内部動作情報とを格納する装置側メモリと、
前記装置側メモリに格納されたログ情報を解析し、得られた相違点に基づいて前記試験用無線通信処理ソフトウェアを修正し、修正した前記試験用無線通信処理ソフトウェアを前記無線通信端末に送信し、前記無線通信端末に再度通信動作試験を実施させ、前記無線通信端末の通信動作試験中の内部動作に関するログ情報が正常になるまで前記無線通信端末に前記通信動作試験の実施および修正した試験用無線通信処理ソフトウェアを前記無線通信端末に送信させる装置側制御手段とを備えたことを特徴とする無線通信端末試験システム。
【請求項１７】
前記無線通信端末は、
動作が完全に保証されている動作確認済無線通信処理ソフトウェアを用いて正常な内部動作情報と前記試験用無線通信処理ソフトウェアとを受信し、修正した試験用無線通信処理ソフトウェアを前記解析機能付き無線通信装置に送信することを特徴とする請求項１５または１６記載の無線通信端末試験システム。
【請求項１８】
前記無線通信端末は、
動作が完全に保証されている動作確認済無線通信処理ソフトウェアを用いて前記端末側メモリに格納された正常な内部動作に関するログ情報と前記試験用無線通信処理ソフトウェアに基づく試験動作中の内部動作に関するログ情報とを解析・修正し、修正した試験用無線通信処理ソフトウェアを前記解析機能付き無線通信装置に送信することを特徴とする請求項１５または１６記載の無線通信端末試験システム。
【請求項１９】
ソフトウェア無線技術を適用した無線通信端末試験システムにおいて、
無線通信端末は、
未だ動作が完全に保証されていない試験用無線通信方式のプログラム、および、既に動作が完全に保証されている動作確認済無線通信方式のプログラムの両プログラムが搭載され、
前記試験用無線通信方式を用いて通信動作試験を実施し、前記無線通信端末の内部動作に関するログ情報を出力すると共に、前記通信動作試験実施中に、前記ログ情報を前記無線通信端末が具備する端末側メモリに格納し、前記通信動作試験終了後に、前記動作確認済無線通信方式のプログラムを用いて前記端末側メモリに格納されたログ情報をログ解析機能付き無線通信装置に送信する端末側制御手段を備え、
前記ログ解析機能付き無線通信装置は、
前記ログ情報を受信した後に、前記通信動作試験実施中の無線通信端末の内部動作に関するログ情報を解析し、前記通信動作試験実施中に問題点を検出した場合には、前記試験用無線通信方式のプログラムの修正・更新を実施する装置側制御手段を備え、
前記端末側制御手段と前記装置側制御手段とが前記通信動作試験の実施から前記試験用無線通信方式のプログラムの修正更新を実施するまで処理で構成されるフィードバックループを繰り返し実施するようにしたことを特徴とする無線通信端末試験システム。
【請求項２０】
ソフトウェア無線技術を適用した無線通信端末試験システムにおいて、
無線通信端末は、
未だ動作が完全に保証されていない試験用無線通信方式のプログラム、および動作が完全に保証されている動作確認済無線通信方式のプログラムの両プログラムが搭載され、
前記試験用無線通信方式のプログラムを用いて通信動作試験を実施し、前記無線通信端末の内部動作に関するログ情報を出力すると共に、前記通信動作試験実施中に、前記ログ情報を前記無線通信端末が具備する端末側メモリに格納し、前記通信動作試験終了後に、前記動作確認済無線通信方式のプログラムを用いて前記端末側メモリに格納されたログ情報をログ解析機能付き無線通信装置に送信する端末側制御手段を有し、
ログ解析機能付き無線通信装置は、
前記ログ情報を受信した後に、前記通信動作試験実施中の無線通信端末の内部動作に関するログ情報を解析し、前記通信動作試験実施中に問題点を検出した場合には、前記動作確認済無線通信方式のプログラムを用いて前記試験用無線通信方式のプログラムの修正・更新を実施し、問題点が修正・更新された試験用無線通信方式のプログラムおよびデータを含むソフトウェアを前記無線通信端末に送信する装置側制御手段と、
修正・更新されたソフトウェアを格納する他の端末側メモリと、
前記他の端末側メモリから前記ソフトウェアが転送されるさらに他の端末側メモリとを有し、
前記端末側制御手段と前記装置側制御手段とが前記通信動作試験の実施から前記ソフトウェハの前記他の端末側メモリへの転送までの処理で構成されるフィードバックループを繰り返すことにより、前記試験用無線通信方式の改善を図るようにしたことを特徴とする無線通信端末試験システム。
【請求項２１】
ソフトウェア無線技術を適用した無線通信端末試験システムにおいて、
無線通信端末は、
未だ動作が完全に保証されていない試験用無線通信プロトコルスタック、および既に動作が完全に保証されている動作確認済通信プロトコルスタックの両プロトコルスタックが搭載され、前記試験用無線通信プロトコルスタックを用いて通信動作試験を実施し、前記無線通信端末の内部動作に関するログ情報を出力すると共に、前記通信動作試験実施中に、前記ログ情報を前記無線通信端末が具備する端末側メモリに格納し、前記通信動作試験終了後に、前記動作確認済通信プロトコルスタックを用いて前記端末側メモリに格納されたログ情報をログ解析機能付き無線通信装置に送信する端末側制御手段とを備え、
前記ログ解析機能付き無線通信装置は、
前記ログ情報を受信した後に、前記通信動作試験実施中の無線通信端末の内部動作に関するログ情報を解析し、前通信記動作試験実施中に問題点を検出した場合には、前記動作確認済通信プロトコルスタックを用いて前記試験用無線通信プロトコルスタックの修正・更新を実施し、問題点が修正・更新された試験用無線通信処理ソフトウェアを前記無線通信端末に送信する装置側制御手段を備え、
前記端末側制御手段と前記装置側制御手段とで前記通信動作試験の実施から前記問題点が修正・更新された試験用無線通信処理ソフトウェアを前記無線通信端末に送信するまでの処理で構成されるフィードバックループを繰り返すことにより、前記試験用無線通信プロトコルスタックの改善を図るようにしたことを特徴とする無線通信端末試験システム。
【請求項２２】
ソフトウェア無線技術を適用した無線通信端末試験システムにおいて、
無線通信端末は、
未だ動作が完全に保証されていない試験用無線通信プロトコルスタック、および既に動作が完全に保証されている動作確認済無線通信プロトコルスタックの両プロトコルスタックが搭載され、
前記試験用無線通信プロトコルスタックを用いて通信動作試験を実施し、前記無線通信端末の内部動作に関するログ情報を出力すると共に、前記通信動作試験実施中に、前記ログ情報を前記無線通信端末が具備する端末側メモリに格納し、前記通信動作試験終了後に、前記動作確認済無線通信プロトコルスタックを用いて前記端末側メモリに格納されたログ情報をログ解析機能付き無線通信装置に送信する端末側制御手段を備え、
前記ログ解析機能付き無線通信装置は、
前記ログ情報を受信した後に、前記通信動作試験実施中の無線通信端末の内部動作に関するログ情報を解析し、前記通信動作試験実施中に問題点を検出した場合には、前記動作確認済無線通信プロトコルスタックを用いて前記試験用無線通信プロトコルスタックのプログラムおよびデータを含むソフトウェアの修正・更新を実施し、問題点が修正・更新された試験用無線通信プロトコルスタックのソフトウェアを前記無線通信端末に送信する装置側制御手段を備え、
前記無線通信端末は、修正・更新された前記試験用無線通信プロトコルスタックのソフトウェアを他の端末側メモリに格納し、その後、さらに他の端末側メモリに転送し、
前記端末側制御手段と前記装置側制御手段とで前記通信動作試験の実施から前記修正・更新された前記試験用無線通信プロトコルスタックのソフトウェアの転送までの処理で構成されるフィードバックループを繰り返すことにより、前記試験用無線通信プロトコルスタックの改善を図るようにしたことを特徴とする無線通信端末試験システム。
【請求項２３】
前記無線通信端末は、
未だ動作が完全に保証されていない試験用無線通信方式のプログラムの通信動作試験の実施中に、ログ情報をリアルタイムに解析し、前記無線通信端末の動作状態の問題点を検出した場合に、その状況に応じて、前記通信動作試験を中断し、既に動作が完全に保証されている動作確認済無線通信方式のプログラムへ切り替え、前記ログ情報および前記無線通信端末が解析したログ情報の解析結果を前記ログ解析機能付き無線通信装置に自動的に送信するようにしたことを特徴とする請求項１９または２０記載の無線通信端末試験システム。
【請求項２４】
前記無線通信端末は、
未だ動作が完全に保証されない試験用無線通信プロトコルスタックの通信動作試験の実施中に、ログ情報をリアルタイムに解析し、前記無線通信端末の動作状態の問題点を検出した場合に、その状況に応じて、前記通信動作試験を中断し、既に動作が完全に保証されている動作確認済通信プロトコルスタックへ切り替え、前記ログ情報および前記無線通信端末が解析したログ情報の解析結果を前記ログ解析機能付き無線通信装置に自動的に送信するようにしたことを特徴とする請求項２１または２２記載の無線通信端末試験システム。
【請求項２５】
ソフトウェア無線技術を適用した無線通信端末試験システムにおいて、
無線通信端末は、
未だ動作が完全に保証されていない試験用無線通信プロトコルスタック、および、既に動作が完全に保証されている動作確認済無線通信プロトコルスタックの両プロトコルスタックを無線通信端末が搭載され、
前記試験用無線通信プロトコルスタックを用いて通信動作試験を実施し、前記無線通信端末の内部動作に関するログ情報を知るために、前記通信動作試験実施中に、前記ログ情報を前記無線通信端末が具備する端末側メモリに格納し、前記通信動作試験終了後に、ログ解析機能付き無線通信装置にアップロードして前記ログ情報を解析するために、前記動作確認済無線通信プロトコルスタックを用いて前記端末側メモリに格納されたログ情報を前記ログ解析機能付き無線通信装置に送信する端末側制御手段を備え、
前記ログ解析機能付き無線通信装置は、
前記動作確認済無線通信プロトコルスタックを用いて前記ログ情報を受信し、前記ログ解析機能付き無線通信装置は、前記ログ情報を解析し、前記ログ情報の解析結果より、前記無線通信端末の前記試験用無線通信プロトコルスタックにおける問題点を修正する装置側制御手段を備え、
前記端末側制御手段と前記装置側制御手段とで前記通信動作試験の実施から前記試験用無線通信プロトコルスタックにおける問題点の修正までの処理で構成されるフィードバックループを繰り返し実施することにより、前記試験用無線通信方式の改善を図るようにしたことを特徴とする無線通信端末試験システム。
【請求項２６】
ソフトウェア無線技術を適用した無線通信端末試験システムにおいて、
無線通信端末は、
未だ動作が完全に保証されていない試験用無線通信プロトコルスタック、および、既に動作が完全に保証されている動作確認済無線通信プロトコルスタックの両プロトコルスタックが搭載され、
前記試験用無線通信プロトコルスタックを用いて通信動作試験を実施し、前記無線通信端末の内部動作に関するログ情報を知るために、前記通信動作試験実施中に、前記ログ情報を前記無線通信端末が具備する端末側メモリに格納し、前記無線通信端末は、前記通信動作試験終了後に、前記端末側メモリに格納されたログ情報はログ解析機能付き無線通信装置にアップロードして解析するために、前記ログのアップロード範囲を決定するログアップロード範囲テーブルの設定に応じて、前記動作確認済無線通信プロトコルスタックを用いて前記ログ解析機能付き無線通信装置に前記ログ情報を送信する端末側制御手段を備え、
前記ログ解析機能付き無線通信装置は、
前記動作確認済無線通信プロトコルスタックを用いて前記ログ情報を受信し、前記ログ情報を解析し、前記ログ情報の解析結果より、前記無線通信端末の前記試験用無線通信プロトコルスタックにおける問題点を修正し、データを含む修正済試験用プログラムを前記動作確認済試験用無線通信プロトコルスタックを用いて前記無線通信端末に送信する装置側制御手段を備え、
前記無線通信端末は、前記動作確認済無線通信プロトコルスタックを用いて前記プログラムを受信し、前記無線通信端末が具備する試験用プログラムダウンロード用の端末側メモリに格納し、前記試験用無線通信プロトコルスタックのプログラムを動作させるメモリである前記無線通信端末が具備するプログラム動作用の他の端末側メモリに前記プログラムを転送し、
前記端末側制御手段と前記装置側制御手段とで前記通信動作試験の実施から前記プログラム動作用の他の端末側メモリに前記プログラムを転送するまでの処理で構成されるフィードバックループを繰り返し実施することにより、前記試験用無線通信方式の改善を図るようにしたことを特徴とする無線通信端末試験システム。
【請求項２７】
ソフトウェア無線技術を適用した無線通信端末試験システムにおいて、
無線通信端末は、
未だ動作が完全に保証されていない試験用無線通信方式のプログラム、既に動作が完全に保証されている動作確認済無線通信方式のプログラム、未だ動作が完全に保証されていない試験用無線通信プロトコルスタック、および既に動作が完全に保証されている動作確認済無線通信プロトコルスタックの両プログラム、および両プロトコルスタックが搭載され、
前記試験用無線通信方式のプログラムと前記試験用無線通信プロトコルスタックとを用いて通信動作試験を実施し、前記無線通信端末の内部動作に関するログ情報を知るために、前記通信動作試験実施中に、ログ情報を前記無線通信端末が具備する端末側メモリに格納し、前記通信動作試験終了後に、ログ解析機能付き無線通信装置にアップロードしてログ情報を解析するために、前記動作確認済無線通信方式のプログラムと前記動作確認済無線通信プロトコルスタックとを用いて前記端末側メモリに格納されたログ情報を前記ログ解析機能付き無線通信装置に送信する端末側制御手段を備え、
前記ログ解析機能付き無線通信装置は、
前記動作確認済無線通信方式のプログラムと前記動作確認済無線通信プロトコルスタックとを用いて前記ログ情報を受信し、前記ログ情報を解析し、前記ログ情報の解析結果より、前記無線通信端末の前記試験用無線通信方式のプログラムと前記試験用無線通信プロトコルスタックとにおける問題点を修正する装置側制御手段を備え、
前記端末側制御手段と前記装置側制御手段とで前記通信動作試験の実施から前記試験用無線通信方式と前記試験用無線通信プロトコルスタックとにおける問題点の修正までの処理で構成されるフィードバックループを繰り返し実施することにより、前記試験用無線通信方式の改善を図るようにしたことを特徴とする無線通信端末試験システム。
【請求項２８】
ソフトウェア無線技術を適用した無線通信端末試験システムにおいて、
無線通信端末は、
未だ動作が完全に保証されていない試験用無線通信方式のプログラム、既に動作が完全に保証されている動作確認済無線通信方式のプログラム、未だ動作が完全に保証されていない試験用無線通信プロトコルスタック、および既に動作が完全に保証されている動作確認済無線通信プロトコルスタックの両プログラム、および両プロトコルスタックが搭載され、
前記試験用無線通信方式のプログラムと前記試験用無線通信プロトコルスタックとを用いて通信動作試験を実施し、前記無線通信端末の内部動作情報を知るために、前記通信動作試験実施中に、ログ情報を前記無線通信端末が具備する端末側メモリに格納し、前記通信動作試験終了後に、ログ解析機能付き無線通信装置にアップロードしてログ情報を解析するために、前記無線通信端末が具備する前記ログ情報のアップロード範囲を決定するログアップロード範囲テーブルの設定に応じて、前記動作確認済無線通信方式と前記動作確認済無線通信プロトコルスタックを用いてログ解析機能付き無線通信装置に前記ログ情報を送信する端末側制御手段を備え、
前記ログ解析機能付き無線通信装置は、
前記動作確認済無線通信方式のプログラムと前記動作確認済無線通信プロトコルスタックとを用いて前記ログ情報を受信し、前記ログ情報を解析し、前記ログ情報の解析結果より、前記無線通信端末の前記試験用無線通信方式のプログラムと前記試験用無線通信プロトコルスタックとにおける問題点を修正し、修正されたデータを含むプログラムを前記動作確認済無線通信方式のプログラムと前記動作確認済試験用無線通信プロトコルスタックを用いて該無線通信端末に送信する装置側制御手段を備え、
前記無線通信端末は、前記動作確認済無線通信方式のプログラムと前記動作確認済無線通信プロトコルスタックとを用いて前記プログラムを受信し、前記無線通信端末が具備するプログラムダウンロード用のバッファメモリに格納し、前記試験用無線通信方式のプログラムと前記試験用無線通信プロトコルスタックのプログラムとを動作させるメモリである前記無線通信端末が具備するプログラム動作用の端末側メモリに前記プログラムを転送し、
前記端末側制御手段と前記装置側制御手段とで前記通信動作試験の実施から前記試験用無線通信方式のプログラムと前記試験用無線通信プロトコルスタックのプログラムを動作させるメモリである前記無線通信端末が具備するプログラム動作用の端末側メモリに前記プログラムを転送するまでの処理で構成されるフィードバックループを繰り返し実施することにより、前記試験用無線通信方式の改善を図るようにしたことを特徴とする無線通信端末試験システム。
【請求項２９】
前記通信動作試験における前記無線通信端末の発信および着信の作動について、
前記無線通信端末は、
前記無線通信端末が具備するリアルタイムログモニタ機能による前記無線通信端末の内部動作の詳細情報を示すログ情報、測定機能による測定値情報、タイマー機能による時刻情報、全地球測位機能による位置情報、および前記通信動作試験実施前に取得した無線通信システムのシステム情報の端末情報を監視し、
前記端末情報により構成される発信および着信の作動トリガ条件を前記無線通信端末が具備する発信および着信の作動トリガ条件テーブルに予め設定し、
前記設定条件と一致した場合に、発信および着信を自動的に実施するようにしたことを特徴とする請求項２５から２８のいずれか１項記載の無線通信端末試験システム。
【請求項３０】
前記通信動作試験における前記無線通信端末の通信終了の作動について、
前記無線通信端末は、
前記無線通信端末が具備するリアルタイムログモニタ機能による前記無線通信端末の内部動作の詳細情報を示すログ情報、測定機能による測定値情報、タイマー機能による時刻情報、全地球測位機能による位置情報、および前記通信動作試験実施前に取得した無線通信システムのシステム情報の端末情報を監視し、
前記端末情報により構成される通信終了の作動トリガ条件を前記無線通信端末が具備する通信終了の作動トリガ条件テーブルに予め設定し、
前記設定条件と一致した場合に、通信終了を自動的に実施し、
さらに、前記端末情報により構成される通信終了正常動作の条件を前記無線通信端末が具備する通信終了正常動作条件テーブルに予め設定し、
前記設定条件と一致した時、通信終了が正常動作したと判断し、
前記無線通信端末は、前記動作確認済無線通信プロトコルスタックへ自動的に切り替え、前記格納されたログ情報、および通信終了正常動作フラグをログ解析機能付き無線通信装置に自動的に送信し、
前記設定条件と一致しなかった時、通信終了が異常動作したと判断し、
前記無線通信端末は、前記動作確認済無線通信プロトコルスタックへ強制的に切り替え、前記格納されたログ情報、および通信終了異常動作フラグをログ解析機能付き無線通信装置に自動的に送信し、
また、前記端末情報により構成される端末異常動作の条件を前記無線通信端末が具備する端末異常動作条件テーブルに予め設定し、
前記作動トリガ条件が設定条件と一致した時、前記無線通信端末が異常動作したと判断し、
前記無線通信端末は、前記動作確認済無線通信プロトコルスタックへ強制的に切り替え、前記格納されたログ情報、および端末異常動作フラグをログ解析機能付き無線通信装置に自動的に送信し、
前記ログ情報は、少なくとも、前記試験実施後に取得した無線通信システムのシステム情報、および前記試験用無線通信のシーケンスパターンを含むようにしたことを特徴とする請求項２５から２８のいずれか１項記載の無線通信端末試験システム。
【請求項３１】
前記通信動作試験における前記無線通信端末の通信終了の作動について、
前記無線通信端末は、
前記無線通信端末が具備するリアルタイムログモニタ機能による前記無線通信端末の内部動作の詳細情報を示すログ情報、測定機能による測定値情報、時刻機能による時刻情報、全地球測位機能による位置情報、および前記通信動作試験実施前に取得した無線通信システムのシステム情報の端末情報を監視し、
前記端末情報により構成される通信終了の作動トリガ条件を前記無線通信端末が具備する通信終了作動トリガ条件テーブルに予め設定し、
前記作動トリガ条件が設定条件と一致した場合に、通信終了を自動的に実施し、
さらに、前記端末情報により構成される通信終了正常動作の条件を前記無線通信端末が具備する通信終了正常動作条件テーブルに予め設定し、
前記設定条件と一致した時、通信終了が正常動作したと判断し、
前記無線通信端末は、前記動作確認済無線通信方式と前記動作確認済無線通信プロトコルスタックへ自動的に切り替え、前記格納されたログ情報、および通信終了正常動作フラグをログ解析機能付き無線通信装置に自動的に送信し、
前記作動トリガ条件が設定条件と一致しなかった時、通信終了が異常動作したと判断し、
前記無線通信端末は、前記動作確認済無線通信方式のプログラムと前記動作確認済無線通信プロトコルスタックとへ強制的に切り替え、前記格納されたログ情報、および通信終了異常動作フラグをログ解析機能付き無線通信装置に自動的に送信し、
また、前記端末情報により構成される端末異常動作の条件を前記無線通信端末が具備する端末異常動作条件テーブルに予め設定し、
前記作動トリガ条件が設定条件と一致した時、前記無線通信端末が異常動作したと判断し、
前記無線通信端末は、前記動作確認済無線通信方式のプログラムと前記動作確認済無線通信プロトコルスタックへ強制的に切り替え、前記格納されたログ情報、および端末異常動作フラグをログ解析機能付き無線通信装置に自動的に送信し、
前記ログ情報は、少なくとも、前記通信動作試験実施後に取得した無線通信システムのシステム情報、前記試験用無線通信方式の仕様を決定する無線通信方式パラメータ、および前記試験用無線通信のシーケンスパターンを含むようにしたことを特徴とする請求項２５から２８のいずれか１項記載の無線通信端末試験システム。
【請求項３２】
前記測定値情報は、少なくとも、ＲＳＣＰ、ＲＳＳＩ、Ｅｃ／Ｎｏ、ＢＬＥＲ、およびＳＩＲを含むことを特徴とする請求項２９から３１のいずれか１項記載の無線通信端末試験システム。
【請求項３３】
ソフトウェア無線技術を適用した無線通信端末試験システムに用いられる無線通信端末において、
正常な内部動作に関するログ情報、および試験対象としての試験用無線通信処理ソフトウェアを用いた通信動作試験における内部動作に関するログ情報を格納する端末側メモリと、
通信動作試験を実施すると、前記端末側メモリに格納された両ログ情報をログ解析機能付き無線通信装置に送信して前記試験用無線通信処理ソフトウェアに関するログ情報を解析させるか、あるいは独自に解析した後、前記試験用無線通信処理ソフトウェアを修正・更新させて前記無線通信端末に送信させると共に、前記ログ解析機能付き無線通信装置との間で通信動作試験の実施から前記試験用無線通信処理ソフトウェアの修正・更新までのフィードバックループを形成し、前記試験用無線処理ソフトウェアに関するログ情報が正常になるまで繰り返す端末側制御手段とを備えたことを特徴とする無線通信端末。
【請求項３４】
ソフトウェア無線技術を適用した無線通信端末試験システムに用いられる無線通信端末において、
未だ動作が完全に保証されていない試験用無線通信方式のプログラム、および、既に動作が完全に保証されている動作確認済無線通信方式のプログラムの両プログラムを格納する端末側メモリと、
前記試験用無線通信方式のプログラムを用いて通信動作試験を実施すると、前記無線通信端末の内部動作に関するログ情報を出力すると共に、前記通信動作試験実施中に、前記ログ情報を前記無線通信端末が具備する端末側メモリに格納し、前記通信動作試験終了後に、前記動作確認済無線通信方式のプログラムを用いて前記端末側メモリに格納されたログ情報をログ解析機能付き無線通信装置に送信し、
前記ログ解析機能付き無線通信装置の装置側制御手段に、前記ログを解析させ、前記通信動作試験実施中に問題点を検出した場合には、前記試験用無線通信方式のプログラムの修正・更新を実施させ、
前記ログ情報が正常になるまで前記装置側制御手段との間で、前記通信動作試験の実施から前記試験用無線通信方式のプログラムの修正更新を実施するまでの処理で構成されるフィードバックループを繰り返し実施する端末側制御手段とを備えたことを特徴とする無線通信端末。
【請求項３５】
ソフトウェア無線技術を適用した無線通信端末試験システムに用いられる無線通信端末において、
未だ動作が完全に保証されていない試験用無線通信方式のプログラム、および動作が完全に保証されている動作確認済無線通信方式のプログラムの両プログラムを格納する端末側メモリと、
前記試験用無線通信方式のプログラムを用いて通信動作試験を実施し、前記無線通信端末の内部動作に関するログ情報を出力すると共に、前記通信動作試験実施中に、前記ログ情報を前記端末側メモリに格納し、前記通信動作試験終了後に、前記動作確認済無線通信方式のプログラムを用いて前記格納されたログ情報をログ解析機能付き無線通信装置に送信し、
前記ログ解析機能付き無線通信装置に、前記ログを受信した後に、前記通信動作試験実施中の無線通信端末の内部動作に関するログ情報を解析させ、前記通信動作試験実施中に問題点を検出した場合には、前記動作確認済無線通信方式のプログラムを用いて前記試験用無線通信方式の修正・更新を実施させ、問題点が修正・更新された試験用無線通信方式のプログラムおよびデータを含むソフトウェアを前記無線通信端末に送信させ、修正・更新されたソフトウェアを他の端末側メモリに格納し、前記他の端末側メモリから前記ソフトウェアをさらに他の端末側メモリに転送させ、
前記装置側制御手段との間で、前記通信動作試験の実施から前記ソフトウェハの前記他の端末側メモリへの転送までの処理で構成されるフィードバックループを繰り返すことにより、前記試験用無線通信方式の改善を図るようにした端末側制御手段とを備えたことを特徴とする無線通信端末。
【請求項３６】
ソフトウェア無線技術を適用した無線通信端末試験システムに用いられる無線通信端末において、
未だ動作が完全に保証されていない試験用無線通信プロトコルスタック、および既に動作が完全に保証されている動作確認済通信プロトコルスタックの両プロトコルスタックを格納する端末側メモリと、
前記試験用無線通信プロトコルスタックを用いて通信動作試験を実施すると、前記無線通信端末の内部動作に関するログ情報を出力すると共に、前記通信動作試験実施中に、前記ログ情報を前記端末側メモリに格納し、前記通信動作試験終了後に、前記動作確認済通信プロトコルスタックを用いて前記格納されたログ情報をログ解析機能付き無線通信装置に送信し、
前記ログ解析機能付き無線通信装置に、前記ログ情報を受信した後に、前記ログ情報を解析させ、前通信記動作試験実施中に問題点を検出した場合には、前記動作確認済通信プロトコルスタックを用いて前記試験用無線通信プロトコルスタックの修正・更新を実施させ、問題点が修正・更新された試験用無線通信処理ソフトウェアを前記無線通信端末に送信させ、前記装置側制御手段との間で、前記通信動作試験の実施から前記問題点が修正・更新された試験用無線通信処理ソフトウェアを前記無線通信端末に送信するまでの処理で構成されるフィードバックループを繰り返すことにより、前記試験用無線通信プロトコルスタックの改善を図るようにした端末側制御手段とを備えたことを特徴とする無線通信端末。
【請求項３７】
ソフトウェア無線技術を適用した無線通信端末試験システムに用いられる無線通信端末において、
未だ動作が完全に保証されていない試験用無線通信プロトコルスタック、および既に動作が完全に保証されている動作確認済無線通信プロトコルスタックの両プロトコルスタックを格納する端末側メモリと、
前記試験用無線通信プロトコルスタックを用いて通信動作試験を実施すると、前記無線通信端末の内部動作に関するログ情報を出力すると共に、前記通信動作試験実施中に、前記ログ情報を前記端末側メモリに格納し、前記通信動作試験終了後に、前記動作確認済無線通信プロトコルスタックを用いて前記格納されたログ情報をログ解析機能付き無線通信装置に送信し、
前記ログ解析機能付き無線通信装置に、前記ログ情報を受信した後に、前記通信動作試験実施中の無線通信端末の内部動作に関するログ情報を解析させ、前記通信動作試験実施中に問題点を検出した場合には、前記動作確認済無線通信プロトコルスタックを用いて前記試験用無線通信プロトコルスタックのプログラムおよびデータを含むソフトウェアの修正・更新を実施させ、問題点が修正・更新された試験用無線通信プロトコルスタックのソフトウェアを前記無線通信端末に送信させ、
修正・更新された前記試験用無線通信プロトコルスタックのソフトウェアを他の端末側メモリに格納し、その後、さらに他の端末側メモリに転送し、
前記装置側制御手段との間で、前記通信動作試験の実施から前記修正・更新された前記試験用無線通信プロトコルスタックのソフトウェアの転送までの処理で構成されるフィードバックループを繰り返すことにより、前記試験用無線通信プロトコルスタックの改善を図るようにした端末側制御手段とを備えたことを特徴とする無線通信端末。
【請求項３８】
前記無線通信端末は、
前記無線通信端末の内部動作に関するログ情報をリアルタイムに解析し、
未だ動作が完全に保証されていない試験用無線通信方式のプログラムの通信動作試験の実施中に、前記ログ情報をリアルタイムに解析し、前記無線通信端末の動作状態の問題点を検出した場合に、その状況に応じて、前記通信動作試験を中断し、既に動作が完全に保証されている動作確認済無線通信方式のプログラムへ切り替え、前記ログ情報および前記無線通信端末が解析したログ情報の解析結果を前記ログ解析機能付き無線通信装置に自動的に送信するようにしたことを特徴とする請求項３４または３５記載の無線通信端末。
【請求項３９】
前記無線通信端末は、
前記無線通信端末の内部動作に関するログ情報をリアルタイムに解析し、
未だ動作が完全に保証されない試験用無線通信プロトコルスタックの通信動作試験の実施中に、前記ログ情報アルタイムに解析し、前記無線通信端末の動作状態の問題点を検出した場合に、その状況に応じて、前記通信動作試験を中断し、既に動作が完全に保証されている動作確認済通信プロトコルスタックへ切り替え、前記ログ情報び前記無線通信端末が解析したログ情報析結果を前記ログ解析機能付き無線通信装置に自動的に送信するようにしたことを特徴とする請求項３６または３７記載の無線通信端末。
【請求項４０】
ソフトウェア無線技術を適用した無線通信端末試験システムに用いられる無線通信端末において、
未だ動作が完全に保証されていない試験用無線通信プロトコルスタック、および、既に動作が完全に保証されている動作確認済無線通信プロトコルスタックの両プロトコルスタックを格納する端末側メモリと、
前記試験用無線通信プロトコルスタックを用いて通信動作試験を実施すると、前記無線通信端末の内部動作に関するログ情報を知るために、前記通信動作試験実施中に、ログ情報を前記端末側メモリに格納し、前記通信動作試験終了後に、前記端末側メモリに格納されたログ情報はログ解析機能付き無線通信装置にアップロードして解析するために、前記ログ情報のアップロード範囲を決定するログアップロード範囲テーブルの設定に応じて、前記動作確認済無線通信プロトコルスタックを用いて前記ログ解析機能付き無線通信装置に前記ログ情報を送信し、
前記ログ解析機能付き無線通信装置の装置側制御手段に、前記動作確認済無線通信プロトコルスタックを用いて前記ログ情報を受信させ、前記ログ情報を解析させ、前記ログ情報の解析結果より、前記無線通信端末の前記試験用無線通信プロトコルスタックにおける問題点を修正させ、データを含む修正済試験用プログラムを前記動作確認済試験用無線通信プロトコルスタックを用いて前記無線通信端末に送信させ、
前記動作確認済無線通信プロトコルスタックを用いて前記プログラムを受信し、前記無線通信端末が具備する試験用プログラムダウンロード用の端末側メモリに格納し、前記試験用無線通信プロトコルスタックのプログラムを動作させるメモリである前記無線通信端末が具備するプログラム動作用の他の端末側メモリに前記プログラムを転送し、
前記装置側制御手段との間で、前記通信動作試験の実施から前記プログラム動作用の他の端末側メモリに前記プログラムを転送するまでの処理で構成されるフィードバックループを繰り返し実施することにより、前記試験用無線通信方式のプログラムの改善を図るようにした端末側制御手段とを備えたことを特徴とする無線通信端末。
【請求項４１】
ソフトウェア無線技術を適用した無線通信端末試験システムに用いられる無線通信端末において、
未だ動作が完全に保証されていない試験用無線通信方式のプログラム、既に動作が完全に保証されている動作確認済無線通信方式のプログラム、未だ動作が完全に保証されていない試験用無線通信プロトコルスタック、および既に動作が完全に保証されている動作確認済無線通信プロトコルスタックの両プログラム、および両プロトコルスタックを格納する端末側メモリと、
前記試験用無線通信方式のプログラムと前記試験用無線通信プロトコルスタックとを用いて通信動作試験を実施し、前記無線通信端末の内部動作に関するログ情報を知るために、前記通信動作試験実施中に、前記ログを前記端末側メモリに格納し、前記通信動作試験終了後に、ログ解析機能付き無線通信装置にアップロードしてログ情報を解析するために、前記動作確認済無線通信方式のプログラムと前記動作確認済無線通信プロトコルスタックとを用いて前記格納されたログ情報を前記ログ解析機能付き無線通信装置に送信し、
前記ログ解析機能付き無線通信装置の装置側制御手段に、前記動作確認済無線通信方式のプログラムと前記動作確認済無線通信プロトコルスタックとを用いて前記ログ情報を受信させ、前記ログ情報を解析させ、前記ログ情報の解析結果より、前記無線通信端末の前記試験用無線通信方式のプログラムと前記試験用無線通信プロトコルスタックとにおける問題点を修正させ、
前記装置側制御手段との間で、前記通信動作試験の実施から前記試験用無線通信方式のプログラムと前記試験用無線通信プロトコルスタックとにおける問題点の修正までの処理で構成されるフィードバックループを繰り返し実施することにより、前記試験用無線通信方式の改善を図るようにした端末側制御手段とを備えたことを特徴とする無線通信端末。
【請求項４２】
ソフトウェア無線技術を適用した無線通信端末試験システムに用いられる無線通信端末において、
未だ動作が完全に保証されていない試験用無線通信方式のプログラム、既に動作が完全に保証されている動作確認済無線通信方式のプログラム、未だ動作が完全に保証されていない試験用無線通信プロトコルスタック、および既に動作が完全に保証されている動作確認済無線通信プロトコルスタックの両プログラム、および両プロトコルスタックを格納する端末側メモリと、
前記試験用無線通信方式のプログラムと前記試験用無線通信プロトコルスタックとを用いて通信動作試験を実施すると、前記無線通信端末の内部動作に関するログ情報を知るために、前記通信動作試験実施中に、ログ情報を前記端末側メモリに格納し、前記通信動作試験終了後に、ログ解析機能付き無線通信装置にアップロードしてログ情報を解析するために、前記無線通信端末が具備する前記ログ情報のアップロード範囲を決定するログアップロード範囲テーブルの設定に応じて、前記動作確認済無線通信方式のプログラムと前記動作確認済無線通信プロトコルスタックとを用いてログ解析機能付き無線通信装置に前記ログを送信し、
前記ログ解析機能付き無線通信装置の装置側制御手段に、前記動作確認済無線通信方式のプログラムと前記動作確認済無線通信プロトコルスタックとを用いて前記ログ情報を受信させ、前記ログ情報を解析させ、前記ログ情報の解析結果より、前記無線通信端末の前記試験用無線通信方式のプログラムと前記試験用無線通信プロトコルスタックとにおける問題点を修正し、修正されたデータを含むプログラムを前記動作確認済無線通信方式のプログラムと前記動作確認済試験用無線通信プロトコルスタックとを用いて該無線通信端末に送信させ、
前記動作確認済無線通信方式のプログラムと前記動作確認済無線通信プロトコルスタックとを用いて前記プログラムを受信し、前記無線通信端末が具備するプログラムダウンロード用のバッファメモリに格納し、前記試験用無線通信方式のプログラムと前記試験用無線通信プロトコルスタックのプログラムとを動作させるメモリである前記無線通信端末が具備するプログラム動作用の端末側メモリに前記プログラムを転送し、
前記装置側制御手段との間で、前記通信動作試験の実施から前記試験用無線通信方式のプログラムと前記試験用無線通信プロトコルスタックのプログラムを動作させるメモリである前記プログラム動作用の端末側メモリに前記プログラムを転送するまでの処理で構成されるフィードバックループを繰り返し実施することにより、前記試験用無線通信方式のプログラムの改善を図るようにした端末側制御手段とを備えたことを特徴とする無線通信端末。
【請求項４３】
前記通信動作試験における前記無線通信端末の発信および着信の作動について、
前記無線通信端末は、
前記無線通信端末が具備するリアルタイムログモニタ機能による前記無線通信端末の内部動作の詳細情報を示すログ情報、測定機能による測定値情報、タイマー機能による時刻情報、全地球測位機能による位置情報、および前記通信動作試験実施前に取得した無線通信システムのシステム情報の端末情報を監視し、
前記端末情報により構成される発信および着信の作動トリガ条件を前記無線通信端末が具備する発信および着信の作動トリガ条件テーブルに予め設定し、
前記作動トリガ条件が設定条件と一致した場合に、発信および着信を自動的に実施するようにしたことを特徴とする請求項４０から４２のいずれか１項記載の無線通信端末。
【請求項４４】
前記通信動作試験における前記無線通信端末の通信終了の作動について、
前記無線通信端末は、
前記無線通信端末が具備するリアルタイムログモニタ機能による前記無線通信端末の内部動作の詳細情報を示すログ情報、測定機能による測定値情報、タイマー機能による時刻情報、全地球測位機能による位置情報、および前記通信動作試験実施前に取得した無線通信システムのシステム情報の端末情報を監視し、
前記端末情報により構成される通信終了の作動トリガ条件を前記無線通信端末が具備する通信終了の作動トリガ条件テーブルに予め設定し、
前記作動トリガ条件が設定条件と一致した場合に、通信終了を自動的に実施し、
さらに、前記端末情報により構成される通信終了正常動作の条件を前記無線通信端末が具備する通信終了正常動作条件テーブルに予め設定し、
前記作動トリガ条件が設定条件と一致した時、通信終了が正常動作したと判断し、
前記無線通信端末は、前記動作確認済無線通信プロトコルスタックへ自動的に切り替え、前記格納されたログ情報、および通信終了正常動作フラグをログ解析機能付き無線通信装置に自動的に送信し、
前記作動トリガ条件が設定条件と一致しなかった時、通信終了が異常動作したと判断し、
前記無線通信端末は、前記動作確認済無線通信プロトコルスタックへ強制的に切り替え、前記格納されたログ情報、および通信終了異常動作フラグをログ解析機能付き無線通信装置に自動的に送信し、
また、前記端末情報により構成される端末異常動作の条件を前記無線通信端末が具備する端末異常動作条件テーブルに予め設定し、
前記作動トリガ条件が設定条件と一致した時、前記無線通信端末が異常動作したと判断し、
前記無線通信端末は、前記動作確認済無線通信プロトコルスタックへ強制的に切り替え、前記格納されたログ情報、および端末異常動作フラグをログ解析機能付き無線通信装置に自動的に送信し、
前記ログ情報は、少なくとも、前記試験実施後に取得した無線通信システムのシステム情報、および前記試験用無線通信のシーケンスパターンを含むようにしたことを特徴とする請求項４０から４２のいずれか１項記載の無線通信端末。
【請求項４５】
前記通信動作試験における前記無線通信端末の通信終了の作動について、
前記無線通信端末は、
前記無線通信端末が具備するリアルタイムログモニタ機能による前記無線通信端末の内部動作に関するログ情報、測定機能による測定値情報、時刻機能による時刻情報、全地球測位機能による位置情報、および前記通信動作試験実施前に取得した無線通信システムのシステム情報の端末情報を監視し、
前記端末情報により構成される通信終了の作動トリガ条件を前記無線通信端末が具備する通信終了作動トリガ条件テーブルに予め設定し、
前記作動トリガ条件が設定条件と一致した場合に、通信終了を自動的に実施し、
さらに、前記端末情報により構成される通信終了正常動作の条件を前記無線通信端末が具備する通信終了正常動作条件テーブルに予め設定し、
前記作動トリガ条件が設定条件と一致した時、通信終了が正常動作したと判断し、
前記無線通信端末は、前記動作確認済無線通信方式のプログラムと前記動作確認済無線通信プロトコルスタックとへ自動的に切り替え、前記格納されたログ情報、および通信終了正常動作フラグをログ解析機能付き無線通信装置に自動的に送信し、
前記作動トリガ条件が設定条件と一致しなかった時、通信終了が異常動作したと判断し、
前記無線通信端末は、前記動作確認済無線通信方式のプログラムと前記動作確認済無線通信プロトコルスタックとへ強制的に切り替え、前記格納されたログ情報、および通信終了異常動作フラグをログ解析機能付き無線通信装置に自動的に送信し、
また、前記端末情報により構成される端末異常動作の条件を前記無線通信端末が具備する端末異常動作条件テーブルに予め設定し、
前記作動トリガ条件が設定条件と一致した時、前記無線通信端末が異常動作したと判断し、
前記無線通信端末は、前記動作確認済無線通信方式のプログラムと前記動作確認済無線通信プロトコルスタックとへ強制的に切り替え、前記格納されたログ情報、および端末異常動作フラグをログ解析機能付き無線通信装置に自動的に送信し、
前記ログ情報は、少なくとも、前記通信動作試験実施後に取得した無線通信システムのシステム情報、前記試験用無線通信方式の仕様を決定する無線通信方式パラメータ、および前記試験用無線通信のシーケンスパターンを含むようにしたことを特徴とする請求項４０から４２のいずれか１項記載の無線通信端末。
【請求項４６】
前記測定値情報は、少なくとも、ＲＳＣＰ、ＲＳＳＩ、Ｅｃ／Ｎｏ、ＢＬＥＲ、およびＳＩＲを含むことを特徴とする請求項３２から３４のいずれか１項記載の無線通信端末。
【発明の詳細な説明】
【技術分野】
【０００１】
本発明は、ソフトウェア無線技術を適用する無線通信における通信動作試験に関し、特に無線通信端末試験方法、無線通信端末試験システム、および無線通信端末に関するものである。
【背景技術】
【０００２】
従来の無線通信端末の無線信号処理部は、例えば、無線通信方式毎に専用の信号処理回路（ハードウェア）を備えて構成されている。このような従来構成において、最近、無線通信方式の複数のファームウェアをメモリに具備し、それを切り替える、一つの汎用的なハードウェアを用いて共通化し、異なる機能が必要な場合にはソフトウェアを変更して対応する傾向にある。このような傾向のもとで、出力（送信パワー）、周波数制御方式、変調方式などが異なる様々な無線通信方式へ柔軟に対応させるソフトウェア無線技術の開発が促進されつつある。
【０００３】
例えば、従来の無線通信端末は、動作確認済無線通信方式のプログラムと、動作未確認の試験用無線通信方式のプログラムとを共に搭載し、試験用無線通信方式のプログラムにより通信動作試験（「試験」もしくは「動作試験」とも言う）を実施して、試験実施中の動作に関するログ情報をメモリ内に格納する。無線通信端末は、通信動作試験終了後に、このログ情報を動作確認済無線通信方式のプログラムにより無線通信装置に送信し、ログ情報を受信（「ダウンロード」ともいう）した無線通信装置は、修正・変更された試験用無線通信方式のプログラムとしてのソフトウェアを動作確認済無線通信方式のプログラムにより受信して、通信動作試験を繰り返している（例えば、特許文献１〜５参照）。
【特許文献１】特開２００２−２９０４９１号公報
【特許文献２】特開平３−６５７３８号公報
【特許文献３】特開平１１−２２０４３５号公報
【特許文献４】特表２００３−５０１９０７号公報
【特許文献５】特開２００３−１６７８６３号公報
【発明の開示】
【発明が解決しようとする課題】
【０００４】
ところで、無線通信端末におけるソフトウェア記述部分が増えれば増えるほど、ソフトウェアを検証するための通信動作試験の工数も増えるという問題がある。また、第三世代携帯電話などの高性能・高機能無線通信端末においても、ソフトウェアの容量が増え、それに伴いバグが増加する傾向にあり、バグ対策が大きな課題となっている。特に、実験室レベルでは完全にはシミュレート（例えば、フィールド試験）できないという問題がある。しかし、実験室レベルで完全にはシミュレートできない（実無線環境下で実施する）フィールド試験の効率性を高めることが製品の開発期間の短縮、製品の短納品化に繋がっている。
そこで、本発明の目的は、フィールド試験の効率性を高めた無線通信端末試験方法、無線通信端末試験システム、および無線通信端末を提供することにある。
【課題を解決するための手段】
【０００５】
請求項１に記載の発明は、ソフトウェア無線技術を適用する無線通信端末試験方法において、無線通信端末は、正常な内部動作に関するログ情報、および試験対象としての試験用無線通信処理ソフトウェアを用いた通信動作試験における内部動作に関するログ情報を格納し、前記無線通信端末が通信動作試験を実施すると、前記無線通信端末、もしくは前記無線通信端末と無線で接続される無線通信装置のいずれか一方が前記試験用無線通信処理ソフトウェアに基づく内部動作情報を示すログ情報を解析し、前記無線通信装置が前記通信動作試験における内部動作に関するログ情報を修正・更新して前記無線通信端末に送信し、前記通信動作試験の実施から前記修正・更新までのフィードバックループを、前記試験用無線通信処理ソフトウェアを用いた通信動作試験における内部動作に関するログ情報が正常になるまで繰り返すことを特徴とする。
【０００６】
請求項２記載の発明は、ソフトウェア無線技術を適用する無線通信端末試験方法において、未だ動作が完全に保証されていない試験用無線通信方式のプログラム、および、既に動作が完全に保証されている動作確認済無線通信方式のプログラム両プログラムを無線通信端末に搭載し、第一に、前記無線通信端末は、前記試験用無線通信方式のプログラムを用いて通信動作試験を実施し、第二に、前記無線通信端末は、前記無線通信端末の内部動作に関するログ情報を出力すると共に、前記通信動作試験実施中に、前記ログ情報を前記無線通信端末が具備する端末側メモリに格納し、第三に、前記無線通信端末は、前記通信動作試験終了後に、前記動作確認済無線通信方式のプログラムを用いて前記端末側メモリに格納されたログ情報をログ解析機能付き無線通信装置に送信し、第四に、前記ログ解析機能付き無線通信装置は、前記ログ情報を受信した後に、前記通信動作試験実施中の無線通信端末の内部動作に関するログ情報を解析し、前記通信動作試験実施中に問題点を検出した場合には、前記試験用無線通信方式のプログラムの修正・更新を実施し、前記第一から前記第四までの処理で構成されるフィードバックループを繰り返し実施することにより、前記試験用無線通信方式の改善を図ることを特徴とする。
【０００７】
請求項３記載の発明は、ソフトウェア無線技術を適用する無線通信端末試験方法において、未だ動作が完全に保証されていない試験用無線通信方式のプログラム、および動作が完全に保証されている動作確認済無線通信方式のプログラムの両プログラムを無線通信端末に搭載し、第一に、前記無線通信端末は、前記試験用無線通信方式のプログラムを用いて通信動作試験を実施し、第二に、前記無線通信端末は、前記無線通信端末の内部動作に関するログ情報を出力すると共に、前記通信動作試験実施中に、前記ログ情報を前記無線通信端末が具備する端末側メモリに格納し、第三に、前記無線通信端末は、前記通信動作試験終了後に、前記動作確認済無線通信方式のプログラムを用いて前記端末側メモリに格納されたログ情報をログ解析機能付き無線通信装置に送信し、第四に、前記解析機能付き無線通信装置は、前記ログ情報を受信した後に、前記通信動作試験実施中の無線通信端末の内部動作に関するログ情報を解析し、第五に、前記ログ解析機能付き無線通信装置は、前記通信動作試験実施中に問題点を検出した場合には、前記動作確認済無線通信方式のプログラムを用いて前記試験用無線通信方式のプログラムの修正・更新を実施し、問題点が修正・更新された試験用無線通信方式のプログラムおよびデータを含むソフトウェアを前記無線通信端末に送信し、第六に、前記無線通信端末は、修正・更新されたソフトウェアを他の端末側メモリに格納し、その後、さらに他の端末側メモリに転送し、前記第一から第六までの処理で構成されるフィードバックループを繰り返すことにより、前記試験用無線通信方式の改善を図ることを特徴とする。
【０００８】
請求項４記載の発明は、ソフトウェア無線技術を適用する無線通信端末試験方法において、未だ動作が完全に保証されていない試験用無線通信プロトコルスタック、および既に動作が完全に保証されている動作確認済通信プロトコルスタックの両プロトコルスタックを無線通信端末に搭載し、第一に、前記無線通信端末は、前記試験用無線通信プロトコルスタックを用いて通信動作試験を実施し、第二に、前記無線通信端末は、前記無線通信端末の内部動作に関する正常時と通信動作試験時のログ情報を出力すると共に、前記通信動作試験実施中に、前記ログ情報を前記無線通信端末が具備する端末側メモリに格納し、第三に、前記無線通信端末は、前記通信動作試験終了後に、前記動作確認済通信プロトコルスタックを用いて前記端末側メモリに格納されたログ情報をログ解析機能付き無線通信装置に送信し、第四に、前記ログ解析機能付き無線通信装置は、前記ログ情報を受信した後に、前記通信動作試験実施中の無線通信端末の内部動作情報を示すログ情報を解析し、前通信記動作試験実施中に問題点を検出した場合には、前記動作確認済通信プロトコルスタックを用いて前記試験用無線通信プロトコルスタックの修正・更新を実施し、前記第一から第四までの処理で構成されるフィードバックループを繰り返すことにより、前記試験用無線通信プロトコルスタックの改善を図ることを特徴とする。
【０００９】
請求項５記載の発明は、ソフトウェア無線技術を適用する無線通信端末試験方法において、未だ動作が完全に保証されていない試験用無線通信プロトコルスタック、および既に動作が完全に保証されている動作確認済無線通信プロトコルスタックの両プロトコルスタックを無線通信端末に搭載し、第一に、前記無線通信端末は、前記試験用無線通信プロトコルスタックを用いて通信動作試験を実施し、第二に、前記無線通信端末は、前記無線通信端末の正常時と通信動作試験時の内部動作に関するログ情報を出力すると共に、前記通信動作試験実施中に、前記ログ情報を前記無線通信端末が具備する端末側メモリに格納し、第三に、前記無線通信端末は、前記通信動作試験終了後に、前記動作確認済無線通信プロトコルスタックを用いて前記端末側メモリに格納されたログ情報をログ解析機能付き無線通信装置に送信し、第四に、前記ログ解析機能付き無線通信装置は、前記ログ情報を受信した後に、前記通信動作試験実施中の無線通信端末の内部動作に関するログ情報を解析し、第五に、前記ログ解析機能付き無線通信装置は、前記通信動作試験実施中に問題点を検出した場合には、前記動作確認済無線通信プロトコルスタックを用いて前記試験用無線通信プロトコルスタックのプログラムおよびデータを含むソフトウェアの修正・更新を実施し、問題点が修正・更新された試験用無線通信プロトコルスタックのソフトウェアを前記無線通信端末に送信し、第六に、前記無線通信端末は、修正・更新された前記試験用無線通信プロトコルスタックのソフトウェアを他の端末側メモリに格納し、その後、さらに他の端末側メモリに転送し、前記第一から第六までの処理で構成されるフィードバックループを繰り返すことにより、前記試験用無線通信プロトコルスタックの改善を図ることを特徴とする。
【００１０】
請求項６記載の発明は、請求項２または３記載の発明において、前記無線通信端末は、前記無線通信端末の内部動作に関するログ情報をリアルタイムに解析し、未だ動作が完全に保証されていない試験用無線通信方式のプログラムの通信動作試験の実施中に、前記ログ情報をリアルタイムに解析し、前記無線通信端末の動作状態の問題点を検出した場合に、その状況に応じて、前記通信動作試験を中断し、既に動作が完全に保証されている動作確認済無線通信方式のプログラムへ切り替え、前記ログ情報および前記無線通信端末が解析したログ情報の解析結果を前記ログ解析機能付き無線通信装置に自動的に送信することを特徴とする。
【００１１】
請求項７記載の発明は、請求項４または５記載の発明において、前記無線通信端末は、前記無線通信端末の内部動作に関するログ情報をリアルタイムに解析し、未だ動作が完全に保証されない試験用無線通信プロトコルスタックの通信動作試験の実施中に、前記ログ情報をリアルタイムに解析し、前記無線通信端末の動作状態の問題点を検出した場合に、その状況に応じて、前記通信動作試験を中断し、既に動作が完全に保証されている動作確認済通信プロトコルスタックへ切り替え、前記ログ情報および前記無線通信端末が解析したログ情報の解析結果を前記ログ解析機能付き無線通信装置に自動的に送信することを特徴とする。
【００１２】
請求項８記載の発明は、ソフトウェア無線技術を適用する無線通信端末試験方法において、未だ動作が完全に保証されていない試験用無線通信プロトコルスタック、および、既に動作が完全に保証されている動作確認済無線通信プロトコルスタックの両プロトコルスタックを無線通信端末に搭載し、第一に、前記無線通信端末は、前記試験用無線通信プロトコルスタックを用いて通信動作試験を実施し、第二に、前記無線通信端末は、前記無線通信端末の内部動作に関するログ情報を知るために、前記通信動作試験実施中に、ログ情報を前記無線通信端末が具備する端末側メモリに格納し、第三に、前記無線通信端末は、前記通信動作試験終了後に、前記端末側メモリに格納されたログ情報はログ解析機能付き無線通信装置にアップロードして解析するために、前記ログのアップロード範囲を決定するログアップロード範囲テーブルの設定に応じて、前記動作確認済無線通信プロトコルスタックを用いて前記ログ解析機能付き無線通信装置に前記ログを送信し、第四に、前記ログ解析機能付き無線通信装置は、前記動作確認済無線通信プロトコルスタックを用いて前記ログ情報を受信し、第五に、前記ログ解析機能付き無線通信装置は、前記ログ情報を解析し、第六に、前記ログ解析機能付き無線通信装置は、前記ログ情報の解析結果より、前記無線通信端末の前記試験用無線通信プロトコルスタックにおける問題点を修正し、データを含む修正済試験用プログラムを前記動作確認済試験用無線通信プロトコルスタックを用いて前記無線通信端末に送信し、第七に、前記無線通信端末は、前記動作確認済無線通信プロトコルスタックを用いて前記プログラムを受信し、前記無線通信端末が具備する試験用プログラムダウンロード用の端末側メモリに格納し、第八に、前記無線通信端末は、前記試験用無線通信プロトコルスタックのプログラムを動作させるメモリである前記無線通信端末が具備するプログラム動作用の他の端末側メモリに前記プログラムを転送し、前記第一から前記第八までの処理で構成されるフィードバックループを繰り返し実施することにより、前記試験用無線通信方式の改善を図ることを特徴とする。
【００１３】
請求項９記載の発明は、ソフトウェア無線技術を適用する無線通信端末試験方法において、未だ動作が完全に保証されていない試験用無線通信方式のプログラム、既に動作が完全に保証されている動作確認済無線通信方式のプログラム、未だ動作が完全に保証されていない試験用無線通信プロトコルスタック、および既に動作が完全に保証されている動作確認済無線通信プロトコルスタックの両プログラム、および両プロトコルスタックを無線通信端末に搭載し、第一に、前記無線通信端末は、前記試験用無線通信方式と前記試験用無線通信プロトコルスタックとを用いて通信動作試験を実施し、第二に、前記無線通信端末は、前記無線通信端末の内部動作情報を知るために、前記通信動作試験実施中に、ログ情報を前記無線通信端末が具備する端末側メモリに格納し、第三に、前記無線通信端末は、前記通信動作試験終了後に、ログ解析機能付き無線通信装置にアップロードしてログ情報を解析するために、前記動作確認済無線通信方式と前記動作確認済無線通信プロトコルスタックとを用いて前記端末側メモリに格納されたログ情報を前記ログ解析機能付き無線通信装置に送信し、第四に、前記ログ解析機能付き無線通信装置は、前記動作確認済無線通信方式と前記動作確認済無線通信プロトコルスタックとを用いて前記ログ情報を受信し、第五に、前記ログ解析機能付き無線通信装置は、前記ログ情報を解析し、第六に、前記ログ解析機能付き無線通信装置は、前記ログ情報の解析結果より、前記無線通信端末の前記試験用無線通信方式のプログラムと前記試験用無線通信プロトコルスタックとにおける問題点を修正し、前記第一から前記第六までの処理で構成されるフィードバックループを繰り返し実施することにより、前記試験用無線通信方式の改善を図ることを特徴とする。
【００１４】
請求項１０記載の発明は、ソフトウェア無線技術を適用する無線通信端末試験方法において、未だ動作が完全に保証されていない試験用無線通信方式のプログラム、既に動作が完全に保証されている動作確認済無線通信方式のプログラム、未だ動作が完全に保証されていない試験用無線通信プロトコルスタック、および既に動作が完全に保証されている動作確認済無線通信プロトコルスタックの両プログラム、および両プロトコルスタックを無線通信端末に搭載し、第一に、前記無線通信端末は、前記試験用無線通信方式のプログラムと前記試験用無線通信プロトコルスタックとを用いて通信動作試験を実施し、第二に、前記無線通信端末は、前記無線通信端末の内部動作に関するログ情報を知るために、前記通信動作試験実施中に、前記ログ情報を前記無線通信端末が具備する端末側メモリに格納し、第三に、前記無線通信端末は、前記通信動作試験終了後に、ログ解析機能付き無線通信装置にアップロードしてログ情報を解析するために、前記無線通信端末が具備する前記ログ情報のアップロード範囲を決定するログアップロード範囲テーブルの設定に応じて、前記動作確認済無線通信方式のプログラムと前記動作確認済無線通信プロトコルスタックを用いてログ解析機能付き無線通信装置に前記ログ情報を送信し、第四に、前記ログ解析機能付き無線通信装置は、前記動作確認済無線通信方式のプログラムと前記動作確認済無線通信プロトコルスタックとを用いて前記ログ情報を受信し、第五に、前記ログ解析機能付き無線通信装置は、前記ログ情報を解析し、第六に、前記ログ解析機能付き無線通信装置は、前記ログ情報の解析結果より、前記無線通信端末の前記試験用無線通信方式のプログラムと前記試験用無線通信プロトコルスタックとにおける問題点を修正し、修正されたデータを含むプログラムを前記動作確認済無線通信方式のプログラムと前記動作確認済試験用無線通信プロトコルスタックを用いて該無線通信端末に送信し、第七に、前記無線通信端末は、前記動作確認済無線通信方式と前記動作確認済無線通信プロトコルスタックを用いて前記プログラムを受信し、前記無線通信端末が具備するプログラムダウンロード用のバッファメモリに格納し、第八に、前記無線通信端末は、前記試験用無線通信方式と前記試験用無線通信プロトコルスタックのプログラムを動作させるメモリである前記無線通信端末が具備するプログラム動作用の端末側メモリに前記プログラムを転送し、前記第一から前記第八までの処理で構成されるフィードバックループを繰り返し実施することにより、前記試験用無線通信方式の改善を図ることを特徴とする。
【００１５】
請求項１１記載の発明は、請求項８から１０のいずれか１項記載の発明において、前記通信動作試験における前記無線通信端末の発信および着信の作動について、前記無線通信端末は、前記無線通信端末が具備するリアルタイムログモニタ機能による前記無線通信端末の内部動作に関するログ情報、測定機能による測定値情報、タイマー機能による時刻情報、全地球測位機能による位置情報、および前記通信動作試験実施前に取得した無線通信システムのシステム情報の端末情報を監視し、前記端末情報により構成される発信および着信の作動トリガ条件を前記無線通信端末が具備する発信および着信の作動トリガ条件テーブルに予め設定し、前記作動トリガ条件が設定条件と一致した場合に、発信および着信を自動的に実施することを特徴とする。
【００１６】
請求項１２記載の発明は、請求項８から１０のいずれか１項記載の発明において、前記通信動作試験における前記無線通信端末の通信終了の作動について、前記無線通信端末は、前記無線通信端末が具備するリアルタイムログモニタ機能による前記無線通信端末の内部動作に関するログ情報、測定機能による測定値情報、タイマー機能による時刻情報、全地球測位機能による位置情報、および前記通信動作試験実施前に取得した無線通信システムのシステム情報の端末情報を監視し、前記端末情報により構成される通信終了の作動トリガ条件を前記無線通信端末が具備する通信終了の作動トリガ条件テーブルに予め設定し、前記作動トリガ条件が設定条件と一致した場合に、通信終了を自動的に実施し、さらに、前記端末情報により構成される通信終了正常動作の条件を前記無線通信端末が具備する通信終了正常動作条件テーブルに予め設定し、前記作動トリガ条件が設定条件と一致した時、通信終了が正常動作したと判断し、前記無線通信端末は、前記動作確認済無線通信プロトコルスタックへ自動的に切り替え、前記格納されたログ情報、および通信終了正常動作フラグをログ解析機能付き無線通信装置に自動的に送信し、前記作動トリガ条件が設定条件と一致しなかった時、通信終了が異常動作したと判断し、前記無線通信端末は、前記動作確認済無線通信プロトコルスタックへ強制的に切り替え、前記格納されたログ情報、および通信終了異常動作フラグをログ解析機能付き無線通信装置に自動的に送信し、また、前記端末情報により構成される端末異常動作の条件を前記無線通信端末が具備する端末異常動作条件テーブルに予め設定し、前記設定条件と一致した時、前記無線通信端末が異常動作したと判断し、前記無線通信端末は、前記動作確認済無線通信プロトコルスタックへ強制的に切り替え、前記格納されたログ情報、および端末異常動作フラグをログ解析機能付き無線通信装置に自動的に送信し、前記ログ情報は、少なくとも、前記試験実施後に取得した無線通信システムのシステム情報、および前記試験用無線通信のシーケンスパターンを含むことを特徴とする。
【００１７】
請求項１３記載の発明は、請求項８から１１のいずれか１項記載の発明において、前記通信動作試験における前記無線通信端末の通信終了の作動について、前記無線通信端末は、前記無線通信端末が具備するリアルタイムログモニタ機能による前記無線通信端末の内部動作の詳細情報を示すログ情報、測定機能による測定値情報、時刻機能による時刻情報、全地球測位機能による位置情報、および前記通信動作試験実施前に取得した無線通信システムのシステム情報の端末情報を監視し、前記端末情報により構成される通信終了の作動トリガ条件を前記無線通信端末が具備する通信終了作動トリガ条件テーブルに予め設定し、前記作動トリガ条件が設定条件と一致した場合に、通信終了を自動的に実施し、さらに、前記端末情報により構成される通信終了正常動作の条件を前記無線通信端末が具備する通信終了正常動作条件テーブルに予め設定し、前記作動トリガ条件が設定条件と一致した時、通信終了が正常動作したと判断し、前記無線通信端末は、前記動作確認済無線通信方式のプログラムと前記動作確認済無線通信プロトコルスタックへ自動的に切り替え、前記格納されたログ情報、および通信終了正常動作フラグをログ解析機能付き無線通信装置に自動的に送信し、前記作動トリガ条件が設定条件と一致しなかった時、通信終了が異常動作したと判断し、前記無線通信端末は、前記動作確認済無線通信方式と前記動作確認済無線通信プロトコルスタックへ強制的に切り替え、前記格納されたログ情報、および通信終了異常動作フラグをログ解析機能付き無線通信装置に自動的に送信し、また、前記端末情報により構成される端末異常動作の条件を前記無線通信端末が具備する端末異常動作条件テーブルに予め設定し、前記作動トリガ条件が設定条件と一致した時、前記無線通信端末が異常動作したと判断し、前記無線通信端末は、前記動作確認済無線通信方式のプログラムと前記動作確認済無線通信プロトコルスタックへ強制的に切り替え、前記格納されたログ情報、および端末異常動作フラグをログ解析機能付き無線通信装置に自動的に送信し、前記ログ情報は、少なくとも、前記通信動作試験実施後に取得した無線通信システムのシステム情報、前記試験用無線通信方式の仕様を決定する無線通信方式パラメータ、および前記試験用無線通信のシーケンスパターンを含むことを特徴とする。
【００１８】
請求項１４記載の発明は、請求項１１から１３のいずれか１項記載の発明において、前記測定値情報は、少なくとも、ＲＳＣＰ、ＲＳＳＩ、Ｅｃ／Ｎｏ、ＢＬＥＲ、およびＳＩＲを含むことを特徴とする。
【００１９】
請求項１５記載の発明は、ソフトウェア無線技術を適用した無線通信端末試験システムにおいて、無線通信端末は、通信動作試験における正常な内部動作に関するログ情報、および試験対象としての試験用無線通信処理ソフトウェアを用いた通信動作試験における内部動作に関するログ情報を格納する端末側メモリと、通信動作試験を実施する端末側制御手段とを備え、ログ解析機能付き無線通信装置は、試験用無線通信処理ソフトウェアに基づく内部動作に関するログ情報を解析し、前記無線通信装置が前記ログ情報を修正・更新して前記無線通信端末に送信し、前記通信動作試験の実施から前記修正・更新までのフィードバックループを、前記試験用無線通信処理ソフトウェアを用いた通信動作試験における内部動作に関するログ情報が正常になるまで繰り返す装置側制御手段を備えたことを特徴とする。
【００２０】
請求項１６記載の発明は、無線通信端末試験システムにおいて、無線通信端末は、通信動作試験における正常な内部動作情報を格納する端末側メモリと、前記試験用無線通信処理ソフトウェアが搭載されると通信動作試験を実施し、得られた内部動作に関するログ情報を解析機能付き無線通信装置に送信する端末側制御手段とを備え、解析機能付き無線通信装置は、前記無線通信端末から受信した前記正常な内部動作情報と前記通信動作試験中の内部動作情報とを格納する装置側メモリと、前記装置側メモリに格納されたログ情報を解析し、得られた相違点に基づいて前記試験用無線通信処理ソフトウェアを修正し、修正した前記試験用無線通信処理ソフトウェアを前記無線通信端末に送信し、前記無線通信端末に再度通信動作試験を実施させ、前記無線通信端末の通信動作試験中の内部動作に関するログ情報が正常になるまで前記無線通信端末に前記通信動作試験の実施および修正した試験用無線通信処理ソフトウェアを前記無線通信端末に送信させる装置側制御手段とを備えたことを特徴とする。
【００２１】
請求項１７記載の発明は、請求項１５または１６記載の発明において、前記無線通信端末は、動作が完全に保証されている動作確認済無線通信処理ソフトウェアを用いて正常な内部動作情報と前記試験用無線通信処理ソフトウェアとを受信し、修正した試験用無線通信処理ソフトウェアを前記解析機能付き無線通信装置に送信することを特徴とする。
【００２２】
請求項１８記載の発明は、請求項１５または１６記載の発明において、前記無線通信端末は、動作が完全に保証されている動作確認済無線通信処理ソフトウェアを用いて前記端末側メモリに格納された正常な内部動作に関するログ情報と前記試験用無線通信処理ソフトウェアに基づく試験動作中の内部動作に関するログ情報とを解析・修正し、修正した試験用無線通信処理ソフトウェアを前記解析機能付き無線通信装置に送信することを特徴とする。
【００２３】
請求項１９記載の発明は、ソフトウェア無線技術を適用した無線通信端末試験システムにおいて、無線通信端末は、未だ動作が完全に保証されていない試験用無線通信方式のプログラム、および、既に動作が完全に保証されている動作確認済無線通信方式のプログラムの両プログラムが搭載され、前記試験用無線通信方式を用いて通信動作試験を実施し、前記無線通信端末の内部動作に関するログ情報を出力すると共に、前記通信動作試験実施中に、前記ログ情報を前記無線通信端末が具備する端末側メモリに格納し、前記通信動作試験終了後に、前記動作確認済無線通信方式のプログラムを用いて前記端末側メモリに格納されたログ情報をログ解析機能付き無線通信装置に送信する端末側制御手段を備え、前記ログ解析機能付き無線通信装置は、前記ログ情報を受信した後に、前記通信動作試験実施中の無線通信端末の内部動作に関するログ情報を解析し、前記通信動作試験実施中に問題点を検出した場合には、前記試験用無線通信方式のプログラムの修正・更新を実施する装置側制御手段を備え、前記端末側制御手段と前記装置側制御手段とが前記通信動作試験の実施から前記試験用無線通信方式のプログラムの修正更新を実施するまで処理で構成されるフィードバックループを繰り返し実施するようにしたことを特徴とする。
【００２４】
請求項２０記載の発明は、ソフトウェア無線技術を適用した無線通信端末試験システムにおいて、無線通信端末は、未だ動作が完全に保証されていない試験用無線通信方式のプログラム、および動作が完全に保証されている動作確認済無線通信方式のプログラムの両プログラムが搭載され、前記試験用無線通信方式のプログラムを用いて通信動作試験を実施し、前記無線通信端末の内部動作に関するログ情報を出力すると共に、前記通信動作試験実施中に、前記ログ情報を前記無線通信端末が具備する端末側メモリに格納し、前記通信動作試験終了後に、前記動作確認済無線通信方式のプログラムを用いて前記端末側メモリに格納されたログ情報をログ解析機能付き無線通信装置に送信する端末側制御手段を有し、ログ解析機能付き無線通信装置は、前記ログ情報を受信した後に、前記通信動作試験実施中の無線通信端末の内部動作に関するログ情報を解析し、前記通信動作試験実施中に問題点を検出した場合には、前記動作確認済無線通信方式のプログラムを用いて前記試験用無線通信方式のプログラムの修正・更新を実施し、問題点が修正・更新された試験用無線通信方式のプログラムおよびデータを含むソフトウェアを前記無線通信端末に送信する装置側制御手段と、修正・更新されたソフトウェアを格納する他の端末側メモリと、前記他の端末側メモリから前記ソフトウェアが転送されるさらに他の端末側メモリとを有し、前記端末側制御手段と前記装置側制御手段とが前記通信動作試験の実施から前記ソフトウェハの前記他の端末側メモリへの転送までの処理で構成されるフィードバックループを繰り返すことにより、前記試験用無線通信方式の改善を図るようにしたことを特徴とする。
【００２５】
請求項２１記載の発明は、ソフトウェア無線技術を適用した無線通信端末試験システムにおいて、無線通信端末は、未だ動作が完全に保証されていない試験用無線通信プロトコルスタック、および既に動作が完全に保証されている動作確認済通信プロトコルスタックの両プロトコルスタックが搭載され、前記試験用無線通信プロトコルスタックを用いて通信動作試験を実施し、前記無線通信端末の内部動作に関するログ情報を出力すると共に、前記通信動作試験実施中に、前記ログ情報を前記無線通信端末が具備する端末側メモリに格納し、前記通信動作試験終了後に、前記動作確認済通信プロトコルスタックを用いて前記端末側メモリに格納されたログ情報をログ解析機能付き無線通信装置に送信する端末側制御手段とを備え、前記ログ解析機能付き無線通信装置は、前記ログ情報を受信した後に、前記通信動作試験実施中の無線通信端末の内部動作に関するログ情報を解析し、前通信記動作試験実施中に問題点を検出した場合には、前記動作確認済通信プロトコルスタックを用いて前記試験用無線通信プロトコルスタックの修正・更新を実施し、問題点が修正・更新された試験用無線通信処理ソフトウェアを前記無線通信端末に送信する装置側制御手段を備え、前記端末側制御手段と前記装置側制御手段とで前記通信動作試験の実施から前記問題点が修正・更新された試験用無線通信処理ソフトウェアを前記無線通信端末に送信するまでの処理で構成されるフィードバックループを繰り返すことにより、前記試験用無線通信プロトコルスタックの改善を図るようにしたことを特徴とする。
【００２６】
請求項２２記載の発明は、ソフトウェア無線技術を適用した無線通信端末試験システムにおいて、無線通信端末は、未だ動作が完全に保証されていない試験用無線通信プロトコルスタック、および既に動作が完全に保証されている動作確認済無線通信プロトコルスタックの両プロトコルスタックが搭載され、前記試験用無線通信プロトコルスタックを用いて通信動作試験を実施し、前記無線通信端末の内部動作に関するログ情報を出力すると共に、前記通信動作試験実施中に、前記ログ情報を前記無線通信端末が具備する端末側メモリに格納し、前記通信動作試験終了後に、前記動作確認済無線通信プロトコルスタックを用いて前記端末側メモリに格納されたログ情報をログ解析機能付き無線通信装置に送信する端末側制御手段を備え、前記ログ解析機能付き無線通信装置は、前記ログ情報を受信した後に、前記通信動作試験実施中の無線通信端末の内部動作に関するログ情報を解析し、前記通信動作試験実施中に問題点を検出した場合には、前記動作確認済無線通信プロトコルスタックを用いて前記試験用無線通信プロトコルスタックのプログラムおよびデータを含むソフトウェアの修正・更新を実施し、問題点が修正・更新された試験用無線通信プロトコルスタックのソフトウェアを前記無線通信端末に送信する装置側制御手段を備え、前記無線通信端末は、修正・更新された前記試験用無線通信プロトコルスタックのソフトウェアを他の端末側メモリに格納し、その後、さらに他の端末側メモリに転送し、前記端末側制御手段と前記装置側制御手段とで前記通信動作試験の実施から前記修正・更新された前記試験用無線通信プロトコルスタックのソフトウェアの転送までの処理で構成されるフィードバックループを繰り返すことにより、前記試験用無線通信プロトコルスタックの改善を図るようにしたことを特徴とする。
【００２７】
請求項２３記載の発明は、請求項１９または２０記載の発明において、前記無線通信端末は、未だ動作が完全に保証されていない試験用無線通信方式のプログラムの通信動作試験の実施中に、ログ情報をリアルタイムに解析し、前記無線通信端末の動作状態の問題点を検出した場合に、その状況に応じて、前記通信動作試験を中断し、既に動作が完全に保証されている動作確認済無線通信方式のプログラムへ切り替え、前記ログ情報および前記無線通信端末が解析したログ情報の解析結果を前記ログ解析機能付き無線通信装置に自動的に送信するようにしたことを特徴とする。
【００２８】
請求項２４記載の発明は、請求項２１または２２において、前記無線通信端末は、未だ動作が完全に保証されない試験用無線通信プロトコルスタックの通信動作試験の実施中に、ログ情報をリアルタイムに解析し、前記無線通信端末の動作状態の問題点を検出した場合に、その状況に応じて、前記通信動作試験を中断し、既に動作が完全に保証されている動作確認済通信プロトコルスタックへ切り替え、前記ログ情報および前記無線通信端末が解析したログ情報の解析結果を前記ログ解析機能付き無線通信装置に自動的に送信するようにしたことを特徴とする。
【００２９】
請求項２５記載の発明は、ソフトウェア無線技術を適用した無線通信端末試験システムにおいて、無線通信端末は、未だ動作が完全に保証されていない試験用無線通信プロトコルスタック、および、既に動作が完全に保証されている動作確認済無線通信プロトコルスタックの両プロトコルスタックを無線通信端末が搭載され、前記試験用無線通信プロトコルスタックを用いて通信動作試験を実施し、前記無線通信端末の内部動作に関するログ情報を知るために、前記通信動作試験実施中に、前記ログ情報を前記無線通信端末が具備する端末側メモリに格納し、前記通信動作試験終了後に、ログ解析機能付き無線通信装置にアップロードして前記ログ情報を解析するために、前記動作確認済無線通信プロトコルスタックを用いて前記端末側メモリに格納されたログ情報を前記ログ解析機能付き無線通信装置に送信する端末側制御手段を備え、前記ログ解析機能付き無線通信装置は、前記動作確認済無線通信プロトコルスタックを用いて前記ログ情報を受信し、前記ログ解析機能付き無線通信装置は、前記ログ情報を解析し、前記ログ情報の解析結果より、前記無線通信端末の前記試験用無線通信プロトコルスタックにおける問題点を修正する装置側制御手段を備え、前記端末側制御手段と前記装置側制御手段とで前記通信動作試験の実施から前記試験用無線通信プロトコルスタックにおける問題点の修正までの処理で構成されるフィードバックループを繰り返し実施することにより、前記試験用無線通信方式の改善を図るようにしたことを特徴とする。
【００３０】
請求項２６記載の発明は、ソフトウェア無線技術を適用した無線通信端末試験システムにおいて、無線通信端末は、未だ動作が完全に保証されていない試験用無線通信プロトコルスタック、および、既に動作が完全に保証されている動作確認済無線通信プロトコルスタックの両プロトコルスタックが搭載され、前記試験用無線通信プロトコルスタックを用いて通信動作試験を実施し、前記無線通信端末の内部動作に関するログ情報を知るために、前記通信動作試験実施中に、前記ログ情報を前記無線通信端末が具備する端末側メモリに格納し、前記無線通信端末は、前記通信動作試験終了後に、前記端末側メモリに格納されたログ情報はログ解析機能付き無線通信装置にアップロードして解析するために、前記ログのアップロード範囲を決定するログアップロード範囲テーブルの設定に応じて、前記動作確認済無線通信プロトコルスタックを用いて前記ログ解析機能付き無線通信装置に前記ログ情報を送信する端末側制御手段を備え、前記ログ解析機能付き無線通信装置は、前記動作確認済無線通信プロトコルスタックを用いて前記ログ情報を受信し、前記ログ情報を解析し、前記ログ情報の解析結果より、前記無線通信端末の前記試験用無線通信プロトコルスタックにおける問題点を修正し、データを含む修正済試験用プログラムを前記動作確認済試験用無線通信プロトコルスタックを用いて前記無線通信端末に送信する装置側制御手段を備え、前記無線通信端末は、前記動作確認済無線通信プロトコルスタックを用いて前記プログラムを受信し、前記無線通信端末が具備する試験用プログラムダウンロード用の端末側メモリに格納し、前記試験用無線通信プロトコルスタックのプログラムを動作させるメモリである前記無線通信端末が具備するプログラム動作用の他の端末側メモリに前記プログラムを転送し、前記端末側制御手段と前記装置側制御手段とで前記通信動作試験の実施から前記プログラム動作用の他の端末側メモリに前記プログラムを転送するまでの処理で構成されるフィードバックループを繰り返し実施することにより、前記試験用無線通信方式の改善を図るようにしたことを特徴とする。
【００３１】
請求項２７記載の発明は、ソフトウェア無線技術を適用した無線通信端末試験システムにおいて、無線通信端末は、未だ動作が完全に保証されていない試験用無線通信方式のプログラム、既に動作が完全に保証されている動作確認済無線通信方式のプログラム、未だ動作が完全に保証されていない試験用無線通信プロトコルスタック、および既に動作が完全に保証されている動作確認済無線通信プロトコルスタックの両プログラム、および両プロトコルスタックが搭載され、前記試験用無線通信方式のプログラムと前記試験用無線通信プロトコルスタックとを用いて通信動作試験を実施し、前記無線通信端末の内部動作に関するログ情報を知るために、前記通信動作試験実施中に、ログ情報を前記無線通信端末が具備する端末側メモリに格納し、前記通信動作試験終了後に、ログ解析機能付き無線通信装置にアップロードしてログ情報を解析するために、前記動作確認済無線通信方式のプログラムと前記動作確認済無線通信プロトコルスタックとを用いて前記端末側メモリに格納されたログ情報を前記ログ解析機能付き無線通信装置に送信する端末側制御手段を備え、前記ログ解析機能付き無線通信装置は、前記動作確認済無線通信方式のプログラムと前記動作確認済無線通信プロトコルスタックとを用いて前記ログ情報を受信し、前記ログ情報を解析し、前記ログ情報の解析結果より、前記無線通信端末の前記試験用無線通信方式のプログラムと前記試験用無線通信プロトコルスタックとにおける問題点を修正する装置側制御手段を備え、前記端末側制御手段と前記装置側制御手段とで前記通信動作試験の実施から前記試験用無線通信方式と前記試験用無線通信プロトコルスタックとにおける問題点の修正までの処理で構成されるフィードバックループを繰り返し実施することにより、前記試験用無線通信方式の改善を図るようにしたことを特徴とする。
【００３２】
請求項２８記載の発明は、ソフトウェア無線技術を適用した無線通信端末試験システムにおいて、無線通信端末は、未だ動作が完全に保証されていない試験用無線通信方式のプログラム、既に動作が完全に保証されている動作確認済無線通信方式のプログラム、未だ動作が完全に保証されていない試験用無線通信プロトコルスタック、および既に動作が完全に保証されている動作確認済無線通信プロトコルスタックの両プログラム、および両プロトコルスタックが搭載され、前記試験用無線通信方式のプログラムと前記試験用無線通信プロトコルスタックとを用いて通信動作試験を実施し、前記無線通信端末の内部動作情報を知るために、前記通信動作試験実施中に、ログ情報を前記無線通信端末が具備する端末側メモリに格納し、前記通信動作試験終了後に、ログ解析機能付き無線通信装置にアップロードしてログ情報を解析するために、前記無線通信端末が具備する前記ログ情報のアップロード範囲を決定するログアップロード範囲テーブルの設定に応じて、前記動作確認済無線通信方式と前記動作確認済無線通信プロトコルスタックを用いてログ解析機能付き無線通信装置に前記ログ情報を送信する端末側制御手段を備え、前記ログ解析機能付き無線通信装置は、前記動作確認済無線通信方式のプログラムと前記動作確認済無線通信プロトコルスタックとを用いて前記ログ情報を受信し、前記ログ情報を解析し、前記ログ情報の解析結果より、前記無線通信端末の前記試験用無線通信方式のプログラムと前記試験用無線通信プロトコルスタックとにおける問題点を修正し、修正されたデータを含むプログラムを前記動作確認済無線通信方式のプログラムと前記動作確認済試験用無線通信プロトコルスタックを用いて該無線通信端末に送信する装置側制御手段を備え、前記無線通信端末は、前記動作確認済無線通信方式のプログラムと前記動作確認済無線通信プロトコルスタックとを用いて前記プログラムを受信し、前記無線通信端末が具備するプログラムダウンロード用のバッファメモリに格納し、前記試験用無線通信方式のプログラムと前記試験用無線通信プロトコルスタックのプログラムとを動作させるメモリである前記無線通信端末が具備するプログラム動作用の端末側メモリに前記プログラムを転送し、前記端末側制御手段と前記装置側制御手段とで前記通信動作試験の実施から前記試験用無線通信方式のプログラムと前記試験用無線通信プロトコルスタックのプログラムを動作させるメモリである前記無線通信端末が具備するプログラム動作用の端末側メモリに前記プログラムを転送するまでの処理で構成されるフィードバックループを繰り返し実施することにより、前記試験用無線通信方式の改善を図るようにしたことを特徴とする。
【００３３】
請求項２９記載の発明は、請求項２５から２８のいずれか１項記載の発明において、前記通信動作試験における前記無線通信端末の発信および着信の作動について、前記無線通信端末は、前記無線通信端末が具備するリアルタイムログモニタ機能による前記無線通信端末の内部動作の詳細情報を示すログ情報、測定機能による測定値情報、タイマー機能による時刻情報、全地球測位機能による位置情報、および前記通信動作試験実施前に取得した無線通信システムのシステム情報の端末情報を監視し、前記端末情報により構成される発信および着信の作動トリガ条件を前記無線通信端末が具備する発信および着信の作動トリガ条件テーブルに予め設定し、前記設定条件と一致した場合に、発信および着信を自動的に実施するようにしたことを特徴とする。
【００３４】
請求項３０記載の発明は、請求項２５から２８のいずれか１項記載の発明において、前記通信動作試験における前記無線通信端末の通信終了の作動について、前記無線通信端末は、前記無線通信端末が具備するリアルタイムログモニタ機能による前記無線通信端末の内部動作の詳細情報を示すログ情報、測定機能による測定値情報、タイマー機能による時刻情報、全地球測位機能による位置情報、および前記通信動作試験実施前に取得した無線通信システムのシステム情報の端末情報を監視し、前記端末情報により構成される通信終了の作動トリガ条件を前記無線通信端末が具備する通信終了の作動トリガ条件テーブルに予め設定し、前記設定条件と一致した場合に、通信終了を自動的に実施し、さらに、前記端末情報により構成される通信終了正常動作の条件を前記無線通信端末が具備する通信終了正常動作条件テーブルに予め設定し、前記設定条件と一致した時、通信終了が正常動作したと判断し、前記無線通信端末は、前記動作確認済無線通信プロトコルスタックへ自動的に切り替え、前記格納されたログ情報、および通信終了正常動作フラグをログ解析機能付き無線通信装置に自動的に送信し、前記設定条件と一致しなかった時、通信終了が異常動作したと判断し、前記無線通信端末は、前記動作確認済無線通信プロトコルスタックへ強制的に切り替え、前記格納されたログ情報、および通信終了異常動作フラグをログ解析機能付き無線通信装置に自動的に送信し、また、前記端末情報により構成される端末異常動作の条件を前記無線通信端末が具備する端末異常動作条件テーブルに予め設定し、前記作動トリガ条件が設定条件と一致した時、前記無線通信端末が異常動作したと判断し、前記無線通信端末は、前記動作確認済無線通信プロトコルスタックへ強制的に切り替え、前記格納されたログ情報、および端末異常動作フラグをログ解析機能付き無線通信装置に自動的に送信し、前記ログ情報は、少なくとも、前記試験実施後に取得した無線通信システムのシステム情報、および前記試験用無線通信のシーケンスパターンを含むようにしたことを特徴とする。
【００３５】
請求項３１記載の発明は、請求項２５から２８のいずれか１項記載の発明において、前記通信動作試験における前記無線通信端末の通信終了の作動について、前記無線通信端末は、前記無線通信端末が具備するリアルタイムログモニタ機能による前記無線通信端末の内部動作の詳細情報を示すログ情報、測定機能による測定値情報、時刻機能による時刻情報、全地球測位機能による位置情報、および前記通信動作試験実施前に取得した無線通信システムのシステム情報の端末情報を監視し、前記端末情報により構成される通信終了の作動トリガ条件を前記無線通信端末が具備する通信終了作動トリガ条件テーブルに予め設定し、前記作動トリガ条件が設定条件と一致した場合に、通信終了を自動的に実施し、さらに、前記端末情報により構成される通信終了正常動作の条件を前記無線通信端末が具備する通信終了正常動作条件テーブルに予め設定し、前記設定条件と一致した時、通信終了が正常動作したと判断し、前記無線通信端末は、前記動作確認済無線通信方式と前記動作確認済無線通信プロトコルスタックへ自動的に切り替え、前記格納されたログ情報、および通信終了正常動作フラグをログ解析機能付き無線通信装置に自動的に送信し、前記作動トリガ条件が設定条件と一致しなかった時、通信終了が異常動作したと判断し、前記無線通信端末は、前記動作確認済無線通信方式のプログラムと前記動作確認済無線通信プロトコルスタックとへ強制的に切り替え、前記格納されたログ情報、および通信終了異常動作フラグをログ解析機能付き無線通信装置に自動的に送信し、また、前記端末情報により構成される端末異常動作の条件を前記無線通信端末が具備する端末異常動作条件テーブルに予め設定し、前記作動トリガ条件が設定条件と一致した時、前記無線通信端末が異常動作したと判断し、前記無線通信端末は、前記動作確認済無線通信方式のプログラムと前記動作確認済無線通信プロトコルスタックへ強制的に切り替え、前記格納されたログ情報、および端末異常動作フラグをログ解析機能付き無線通信装置に自動的に送信し、前記ログ情報は、少なくとも、前記通信動作試験実施後に取得した無線通信システムのシステム情報、前記試験用無線通信方式の仕様を決定する無線通信方式パラメータ、および前記試験用無線通信のシーケンスパターンを含むようにしたことを特徴とする。
【００３６】
請求項３２記載の発明は、請求項２９から３１のいずれか１項記載の発明において、前記測定値情報は、少なくとも、ＲＳＣＰ、ＲＳＳＩ、Ｅｃ／Ｎｏ、ＢＬＥＲ、およびＳＩＲを含むことを特徴とする。
【００３７】
請求項３３記載の発明は、ソフトウェア無線技術を適用した無線通信端末試験システムに用いられる無線通信端末において、正常な内部動作に関するログ情報、および試験対象としての試験用無線通信処理ソフトウェアを用いた通信動作試験における内部動作に関するログ情報を格納する端末側メモリと、通信動作試験を実施すると、前記端末側メモリに格納された両ログ情報をログ解析機能付き無線通信装置に送信して前記試験用無線通信処理ソフトウェアに関するログ情報を解析させるか、あるいは独自に解析した後、前記試験用無線通信処理ソフトウェアを修正・更新させて前記無線通信端末に送信させると共に、前記ログ解析機能付き無線通信装置との間で通信動作試験の実施から前記試験用無線通信処理ソフトウェアの修正・更新までのフィードバックループを形成し、前記試験用無線処理ソフトウェアに関するログ情報が正常になるまで繰り返す端末側制御手段とを備えたことを特徴とする。
【００３８】
請求項３４記載の発明は、ソフトウェア無線技術を適用した無線通信端末試験システムに用いられる無線通信端末において、未だ動作が完全に保証されていない試験用無線通信方式のプログラム、および、既に動作が完全に保証されている動作確認済無線通信方式のプログラムの両プログラムを格納する端末側メモリと、前記試験用無線通信方式のプログラムを用いて通信動作試験を実施すると、前記無線通信端末の内部動作に関するログ情報を出力すると共に、前記通信動作試験実施中に、前記ログ情報を前記無線通信端末が具備する端末側メモリに格納し、前記通信動作試験終了後に、前記動作確認済無線通信方式のプログラムを用いて前記端末側メモリに格納されたログ情報をログ解析機能付き無線通信装置に送信し、前記ログ解析機能付き無線通信装置の装置側制御手段に、前記ログを解析させ、前記通信動作試験実施中に問題点を検出した場合には、前記試験用無線通信方式のプログラムの修正・更新を実施させ、前記ログ情報が正常になるまで前記装置側制御手段との間で、前記通信動作試験の実施から前記試験用無線通信方式のプログラムの修正更新を実施するまでの処理で構成されるフィードバックループを繰り返し実施する端末側制御手段とを備えたことを特徴とする。
【００３９】
請求項３５記載の発明は、ソフトウェア無線技術を適用した無線通信端末試験システムに用いられる無線通信端末において、未だ動作が完全に保証されていない試験用無線通信方式のプログラム、および動作が完全に保証されている動作確認済無線通信方式のプログラムの両プログラムを格納する端末側メモリと、前記試験用無線通信方式のプログラムを用いて通信動作試験を実施し、前記無線通信端末の内部動作に関するログ情報を出力すると共に、前記通信動作試験実施中に、前記ログ情報を前記端末側メモリに格納し、前記通信動作試験終了後に、前記動作確認済無線通信方式のプログラムを用いて前記格納されたログ情報をログ解析機能付き無線通信装置に送信し、前記ログ解析機能付き無線通信装置に、前記ログを受信した後に、前記通信動作試験実施中の無線通信端末の内部動作に関するログ情報を解析させ、前記通信動作試験実施中に問題点を検出した場合には、前記動作確認済無線通信方式のプログラムを用いて前記試験用無線通信方式の修正・更新を実施させ、問題点が修正・更新された試験用無線通信方式のプログラムおよびデータを含むソフトウェアを前記無線通信端末に送信させ、修正・更新されたソフトウェアを他の端末側メモリに格納し、前記他の端末側メモリから前記ソフトウェアをさらに他の端末側メモリに転送させ、前記装置側制御手段との間で、前記通信動作試験の実施から前記ソフトウェハの前記他の端末側メモリへの転送までの処理で構成されるフィードバックループを繰り返すことにより、前記試験用無線通信方式の改善を図るようにした端末側制御手段とを備えたことを特徴とする。
【００４０】
請求項３６記載の発明は、ソフトウェア無線技術を適用した無線通信端末試験システムに用いられる無線通信端末において、未だ動作が完全に保証されていない試験用無線通信プロトコルスタック、および既に動作が完全に保証されている動作確認済通信プロトコルスタックの両プロトコルスタックを格納する端末側メモリと、前記試験用無線通信プロトコルスタックを用いて通信動作試験を実施すると、前記無線通信端末の内部動作に関するログ情報を出力すると共に、前記通信動作試験実施中に、前記ログ情報を前記端末側メモリに格納し、前記通信動作試験終了後に、前記動作確認済通信プロトコルスタックを用いて前記格納されたログ情報をログ解析機能付き無線通信装置に送信し、前記ログ解析機能付き無線通信装置に、前記ログ情報を受信した後に、前記ログ情報を解析させ、前通信記動作試験実施中に問題点を検出した場合には、前記動作確認済通信プロトコルスタックを用いて前記試験用無線通信プロトコルスタックの修正・更新を実施させ、問題点が修正・更新された試験用無線通信処理ソフトウェアを前記無線通信端末に送信させ、前記装置側制御手段との間で、前記通信動作試験の実施から前記問題点が修正・更新された試験用無線通信処理ソフトウェアを前記無線通信端末に送信するまでの処理で構成されるフィードバックループを繰り返すことにより、前記試験用無線通信プロトコルスタックの改善を図るようにした端末側制御手段とを備えたことを特徴とする。
【００４１】
請求項３７記載の発明は、ソフトウェア無線技術を適用した無線通信端末試験システムに用いられる無線通信端末において、未だ動作が完全に保証されていない試験用無線通信プロトコルスタック、および既に動作が完全に保証されている動作確認済無線通信プロトコルスタックの両プロトコルスタックを格納する端末側メモリと、前記試験用無線通信プロトコルスタックを用いて通信動作試験を実施すると、前記無線通信端末の内部動作に関するログ情報を出力すると共に、前記通信動作試験実施中に、前記ログ情報を前記端末側メモリに格納し、前記通信動作試験終了後に、前記動作確認済無線通信プロトコルスタックを用いて前記格納されたログ情報をログ解析機能付き無線通信装置に送信し、前記ログ解析機能付き無線通信装置に、前記ログ情報を受信した後に、前記通信動作試験実施中の無線通信端末の内部動作に関するログ情報を解析させ、前記通信動作試験実施中に問題点を検出した場合には、前記動作確認済無線通信プロトコルスタックを用いて前記試験用無線通信プロトコルスタックのプログラムおよびデータを含むソフトウェアの修正・更新を実施させ、問題点が修正・更新された試験用無線通信プロトコルスタックのソフトウェアを前記無線通信端末に送信させ、修正・更新された前記試験用無線通信プロトコルスタックのソフトウェアを他の端末側メモリに格納し、その後、さらに他の端末側メモリに転送し、前記装置側制御手段との間で、前記通信動作試験の実施から前記修正・更新された前記試験用無線通信プロトコルスタックのソフトウェアの転送までの処理で構成されるフィードバックループを繰り返すことにより、前記試験用無線通信プロトコルスタックの改善を図るようにした端末側制御手段とを備えたことを特徴とする。
【００４２】
請求項３８記載の発明は、請求項３４または３５記載の発明において、前記無線通信端末は、前記無線通信端末の内部動作に関するログ情報をリアルタイムに解析し、未だ動作が完全に保証されていない試験用無線通信方式のプログラムの通信動作試験の実施中に、前記ログ情報をリアルタイムに解析し、前記無線通信端末の動作状態の問題点を検出した場合に、その状況に応じて、前記通信動作試験を中断し、既に動作が完全に保証されている動作確認済無線通信方式のプログラムへ切り替え、前記ログ情報および前記無線通信端末が解析したログ情報の解析結果を前記ログ解析機能付き無線通信装置に自動的に送信するようにしたことを特徴とする。
【００４３】
請求項３９記載の発明は、請求項３６または３７記載の発明において、前記無線通信端末は、前記無線通信端末の内部動作に関するログ情報をリアルタイムに解析し、未だ動作が完全に保証されない試験用無線通信プロトコルスタックの通信動作試験の実施中に、前記ログ情報アルタイムに解析し、前記無線通信端末の動作状態の問題点を検出した場合に、その状況に応じて、前記通信動作試験を中断し、既に動作が完全に保証されている動作確認済通信プロトコルスタックへ切り替え、前記ログ情報および前記無線通信端末が解析したログ情報析結果を前記ログ解析機能付き無線通信装置に自動的に送信するようにしたことを特徴とする。
【００４４】
請求項４０記載の発明は、ソフトウェア無線技術を適用した無線通信端末試験システムに用いられる無線通信端末において、未だ動作が完全に保証されていない試験用無線通信プロトコルスタック、および、既に動作が完全に保証されている動作確認済無線通信プロトコルスタックの両プロトコルスタックを格納する端末側メモリと、前記試験用無線通信プロトコルスタックを用いて通信動作試験を実施すると、前記無線通信端末の内部動作に関するログ情報を知るために、前記通信動作試験実施中に、ログ情報を前記端末側メモリに格納し、前記通信動作試験終了後に、前記端末側メモリに格納されたログ情報はログ解析機能付き無線通信装置にアップロードして解析するために、前記ログ情報のアップロード範囲を決定するログアップロード範囲テーブルの設定に応じて、前記動作確認済無線通信プロトコルスタックを用いて前記ログ解析機能付き無線通信装置に前記ログ情報を送信し、前記ログ解析機能付き無線通信装置の装置側制御手段に、前記動作確認済無線通信プロトコルスタックを用いて前記ログ情報を受信させ、前記ログ情報を解析させ、前記ログ情報の解析結果より、前記無線通信端末の前記試験用無線通信プロトコルスタックにおける問題点を修正させ、データを含む修正済試験用プログラムを前記動作確認済試験用無線通信プロトコルスタックを用いて前記無線通信端末に送信させ、前記動作確認済無線通信プロトコルスタックを用いて前記プログラムを受信し、前記無線通信端末が具備する試験用プログラムダウンロード用の端末側メモリに格納し、前記試験用無線通信プロトコルスタックのプログラムを動作させるメモリである前記無線通信端末が具備するプログラム動作用の他の端末側メモリに前記プログラムを転送し、前記装置側制御手段との間で、前記通信動作試験の実施から前記プログラム動作用の他の端末側メモリに前記プログラムを転送するまでの処理で構成されるフィードバックループを繰り返し実施することにより、前記試験用無線通信方式のプログラムの改善を図るようにした端末側制御手段とを備えたことを特徴とする。
【００４５】
請求項４１記載の発明は、ソフトウェア無線技術を適用した無線通信端末試験システムに用いられる無線通信端末において、未だ動作が完全に保証されていない試験用無線通信方式のプログラム、既に動作が完全に保証されている動作確認済無線通信方式のプログラム、未だ動作が完全に保証されていない試験用無線通信プロトコルスタック、および既に動作が完全に保証されている動作確認済無線通信プロトコルスタックの両プログラム、および両プロトコルスタックを格納する端末側メモリと、前記試験用無線通信方式のプログラムと前記試験用無線通信プロトコルスタックとを用いて通信動作試験を実施し、前記無線通信端末の内部動作に関するログ情報を知るために、前記通信動作試験実施中に、前記ログを前記端末側メモリに格納し、前記通信動作試験終了後に、ログ解析機能付き無線通信装置にアップロードしてログ情報を解析するために、前記動作確認済無線通信方式のプログラムと前記動作確認済無線通信プロトコルスタックとを用いて前記格納されたログ情報を前記ログ解析機能付き無線通信装置に送信し、前記ログ解析機能付き無線通信装置の装置側制御手段に、前記動作確認済無線通信方式のプログラムと前記動作確認済無線通信プロトコルスタックとを用いて前記ログ情報を受信させ、前記ログ情報を解析させ、前記ログ情報の解析結果より、前記無線通信端末の前記試験用無線通信方式のプログラムと前記試験用無線通信プロトコルスタックとにおける問題点を修正させ、前記装置側制御手段との間で、前記通信動作試験の実施から前記試験用無線通信方式のプログラムと前記試験用無線通信プロトコルスタックとにおける問題点の修正までの処理で構成されるフィードバックループを繰り返し実施することにより、前記試験用無線通信方式の改善を図るようにした端末側制御手段とを備えたことを特徴とする。
【００４６】
請求項４２記載の発明は、ソフトウェア無線技術を適用した無線通信端末試験システムに用いられる無線通信端末において、未だ動作が完全に保証されていない試験用無線通信方式のプログラム、既に動作が完全に保証されている動作確認済無線通信方式のプログラム、未だ動作が完全に保証されていない試験用無線通信プロトコルスタック、および既に動作が完全に保証されている動作確認済無線通信プロトコルスタックの両プログラム、および両プロトコルスタックを格納する端末側メモリと、前記試験用無線通信方式のプログラムと前記試験用無線通信プロトコルスタックとを用いて通信動作試験を実施すると、前記無線通信端末の内部動作に関するログ情報を知るために、前記通信動作試験実施中に、ログ情報を前記端末側メモリに格納し、前記通信動作試験終了後に、ログ解析機能付き無線通信装置にアップロードしてログ情報を解析するために、前記無線通信端末が具備する前記ログ情報のアップロード範囲を決定するログアップロード範囲テーブルの設定に応じて、前記動作確認済無線通信方式のプログラムと前記動作確認済無線通信プロトコルスタックとを用いてログ解析機能付き無線通信装置に前記ログを送信し、前記ログ解析機能付き無線通信装置の装置側制御手段に、前記動作確認済無線通信方式のプログラムと前記動作確認済無線通信プロトコルスタックとを用いて前記ログ情報を受信させ、前記ログ情報を解析させ、前記ログ情報の解析結果より、前記無線通信端末の前記試験用無線通信方式のプログラムと前記試験用無線通信プロトコルスタックとにおける問題点を修正し、修正されたデータを含むプログラムを前記動作確認済無線通信方式のプログラムと前記動作確認済試験用無線通信プロトコルスタックとを用いて該無線通信端末に送信させ、前記動作確認済無線通信方式のプログラムと前記動作確認済無線通信プロトコルスタックとを用いて前記プログラムを受信し、前記無線通信端末が具備するプログラムダウンロード用のバッファメモリに格納し、前記試験用無線通信方式のプログラムと前記試験用無線通信プロトコルスタックのプログラムとを動作させるメモリである前記無線通信端末が具備するプログラム動作用の端末側メモリに前記プログラムを転送し、前記装置側制御手段との間で、前記通信動作試験の実施から前記試験用無線通信方式のプログラムと前記試験用無線通信プロトコルスタックのプログラムを動作させるメモリである前記プログラム動作用の端末側メモリに前記プログラムを転送するまでの処理で構成されるフィードバックループを繰り返し実施することにより、前記試験用無線通信方式のプログラムの改善を図るようにした端末側制御手段とを備えたことを特徴とする。
【００４７】
請求項４３記載の発明は、請求項４０から４２のいずれか１項記載の発明において、前記通信動作試験における前記無線通信端末の発信および着信の作動について、前記無線通信端末は、前記無線通信端末が具備するリアルタイムログモニタ機能による前記無線通信端末の内部動作の詳細情報を示すログ情報、測定機能による測定値情報、タイマー機能による時刻情報、全地球測位機能による位置情報、および前記通信動作試験実施前に取得した無線通信システムのシステム情報の端末情報を監視し、前記端末情報により構成される発信および着信の作動トリガ条件を前記無線通信端末が具備する発信および着信の作動トリガ条件テーブルに予め設定し、前記作動トリガ条件が設定条件と一致した場合に、発信および着信を自動的に実施するようにしたことを特徴とする。
【００４８】
請求項４４記載の発明は、請求項４０から４２のいずれか１項記載の発明において、前記通信動作試験における前記無線通信端末の通信終了の作動について、前記無線通信端末は、前記無線通信端末が具備するリアルタイムログモニタ機能による前記無線通信端末の内部動作の詳細情報を示すログ情報、測定機能による測定値情報、タイマー機能による時刻情報、全地球測位機能による位置情報、および前記通信動作試験実施前に取得した無線通信システムのシステム情報の端末情報を監視し、前記端末情報により構成される通信終了の作動トリガ条件を前記無線通信端末が具備する通信終了の作動トリガ条件テーブルに予め設定し、前記作動トリガ条件が設定条件と一致した場合に、通信終了を自動的に実施し、さらに、前記端末情報により構成される通信終了正常動作の条件を前記無線通信端末が具備する通信終了正常動作条件テーブルに予め設定し、前記作動トリガ条件が設定条件と一致した時、通信終了が正常動作したと判断し、前記無線通信端末は、前記動作確認済無線通信プロトコルスタックへ自動的に切り替え、前記格納されたログ情報、および通信終了正常動作フラグをログ解析機能付き無線通信装置に自動的に送信し、前記作動トリガ条件が設定条件と一致しなかった時、通信終了が異常動作したと判断し、前記無線通信端末は、前記動作確認済無線通信プロトコルスタックへ強制的に切り替え、前記格納されたログ情報、および通信終了異常動作フラグをログ解析機能付き無線通信装置に自動的に送信し、また、前記端末情報により構成される端末異常動作の条件を前記無線通信端末が具備する端末異常動作条件テーブルに予め設定し、前記作動トリガ条件が設定条件と一致した時、前記無線通信端末が異常動作したと判断し、前記無線通信端末は、前記動作確認済無線通信プロトコルスタックへ強制的に切り替え、前記格納されたログ情報、および端末異常動作フラグをログ解析機能付き無線通信装置に自動的に送信し、前記ログ情報は、少なくとも、前記試験実施後に取得した無線通信システムのシステム情報、および前記試験用無線通信のシーケンスパターンを含むようにしたことを特徴とする。
【００４９】
請求項４５記載の発明は、請求項４０から４２のいずれか１項記載の発明において、前記通信動作試験における前記無線通信端末の通信終了の作動について、前記無線通信端末は、前記無線通信端末が具備するリアルタイムログモニタ機能による前記無線通信端末の内部動作に関するログ情報、測定機能による測定値情報、時刻機能による時刻情報、全地球測位機能による位置情報、および前記通信動作試験実施前に取得した無線通信システムのシステム情報の端末情報を監視し、前記端末情報により構成される通信終了の作動トリガ条件を前記無線通信端末が具備する通信終了作動トリガ条件テーブルに予め設定し、前記作動トリガ条件が設定条件と一致した場合に、通信終了を自動的に実施し、さらに、前記端末情報により構成される通信終了正常動作の条件を前記無線通信端末が具備する通信終了正常動作条件テーブルに予め設定し、前記作動トリガ条件が設定条件と一致した時、通信終了が正常動作したと判断し、前記無線通信端末は、前記動作確認済無線通信方式のプログラムと前記動作確認済無線通信プロトコルスタックとへ自動的に切り替え、前記格納されたログ情報、および通信終了正常動作フラグをログ解析機能付き無線通信装置に自動的に送信し、前記作動トリガ条件が設定条件と一致しなかった時、通信終了が異常動作したと判断し、前記無線通信端末は、前記動作確認済無線通信方式のプログラムと前記動作確認済無線通信プロトコルスタックとへ強制的に切り替え、前記格納されたログ情報、および通信終了異常動作フラグをログ解析機能付き無線通信装置に自動的に送信し、また、前記端末情報により構成される端末異常動作の条件を前記無線通信端末が具備する端末異常動作条件テーブルに予め設定し、前記作動トリガ条件が設定条件と一致した時、前記無線通信端末が異常動作したと判断し、前記無線通信端末は、前記動作確認済無線通信方式のプログラムと前記動作確認済無線通信プロトコルスタックとへ強制的に切り替え、前記格納されたログ情報、および端末異常動作フラグをログ解析機能付き無線通信装置に自動的に送信し、前記ログ情報は、少なくとも、前記通信動作試験実施後に取得した無線通信システムのシステム情報、前記試験用無線通信方式の仕様を決定する無線通信方式パラメータ、および前記試験用無線通信のシーケンスパターンを含むようにしたことを特徴とする。
【００５０】
請求項４６記載の発明は、請求項３２から３４のいずれか１項記載の発明において、前記測定値情報は、少なくとも、ＲＳＣＰ、ＲＳＳＩ、Ｅｃ／Ｎｏ、ＢＬＥＲ、およびＳＩＲを含むことを特徴とする。
【発明の効果】
【００５１】
本発明の無線通信端末試験方法、無線通信端末試験システム、および無線通信端末は、未だ動作が完全に保証されていない試験用無線通信方式と動作が保証されている動作確認済無線通信方式の両方式、あるいは未だ動作が完全に保証されていない試験用無線通信プロトコルと動作が保証されている動作確認済無線通信プロトコルの両プロトコルのいずれか一方、もしくは両方を無線通信端末へ搭載し、試験実施中の無線通信端末の内部動作に関するログ情報を解析し、問題点が検出された場合には、試験用無線通信方式の修正・更新を実行する。これにより、ログ情報の送信、および、修正・更新されたソフトウェアの受信がリアルタイムで実施でき、フィールド試験の実行効率を高めることが可能となり、ソフトウェアの修正・更新のスピードアップを図ることができる。
【発明を実施するための最良の形態】
【００５２】
本発明の無線通信端末試験方法、無線通信端末試験システム、および無線通信端末は、未だ動作が完全に保証されない試験用無線通信方式のプログラム、および、既に動作が完全に保証されている動作確認済無線通信方式のプログラムの両プログラムを無線通信端末へ搭載し前記無線通信端末が通信動作試験を実施すると、無線通信端末、もしくは無線通信端末と無線で接続される無線通信装置のいずれか一方が試験用無線通信処理ソフトウェアに基づく内部動作情報を示すログ情報を解析し、無線通信装置が通信動作試験における内部動作に関するログ情報を修正・更新して無線通信端末に送信し、通信動作試験の実施から修正・更新までのフィードバックループを、試験用無線通信処理ソフトウェアを用いた通信動作試験における内部動作に関するログ情報が正常になるまで繰り返すものである。
ここで、無線通信方式とは複数の変調方式、周波数制御方式、送信パワー制御方式を含み、汎用ハードウェア（例えば、携帯電話機、ＰＤＡ（Personal Digital Assistants））を用い複数のファームウェアをメモリに具備し、それを切り替えるソフトウェア無線装置をいう。
また、本実施の形態では、「無線通信方式」は「変調方式、周波数制御方式、および送信パワー制御方式をさす無線通信方式を実現するための回路およびファームウェア」を意味する。この場合、変調方式は変調器、送信パワー制御方式は送信パワー制御器、周波数は搬送波信号発生器が該当する。
【００５３】
ここにいうログ情報とは、無線通信端末の内部動作に関する詳細情報（「ログ」ともいう）をいう。ログ情報としては、例えば、Ｗ―ＣＤＭＡ（Wideband-Code Division Multiple Access：広帯域・符号分割多元接続）移動通信端末の場合、３ＧＰＰ（Third Generation Partnership Projects:日本のＴＴＣ（The Telecommunication Technology Committee）／ＡＲＩＢ（Association of Radio Industries and Businesses）を含む世界の各地域標準化組織によって構成され、かつＷ−ＣＤＭＡ方式の第三世代携帯電話システムの規格を作成する組織）の仕様書で規定されているエアープロトコル（移動通信端末が送受信する情報）の各レイヤーのヘッダーおよびペイロード情報等が該当する。
本発明は、従来のような専用ハードウェアを用いるのではなく、汎用ハードウェアを用いて、ファームウェア（プログラム）で記述することにより、複数の「無線通信方式」を実現するものである。
【００５４】
例えば、汎用ハードウェアとして、ディジタル回路部分では、ＦＰＧＡやダイナミック・リコンフィギャラブル・プロセッサー：動的再構成プロセッサー（Dynamically Reconfigurable Processor）を用い、また、アナログ回路部分では汎用ＲＦ回路を用い、各無線通信方式を実現するのに、予めメモリにストアされていた各ファームウェアのデータを読み出し、ファームウェアを適時書き換えることで対応する。
【００５５】
添付図面を参照して本発明による無線通信端末試験方法の実施の形態を詳細に説明する。図１は、本発明の無線通信端末の試験方法を適用したシステムを示す図であり、図２は、本発明の無線通信端末試験方法を適用した他のシステムを示す図である。
【００５６】
無線通信端末は、無線通信端末の内部動作に関するログ情報を出力する機能を具備している。本システムにおいて、通信動作試験実施中に、ログ情報を無線通信端末が具備する端末側メモリ、にストア（以下「格納」という。）し、試験終了後、無線通信端末は、動作確認済無線通信方式のプログラムを用いて、ストアされたログ情報をログ解析機能付き無線通信装置に送信（「ダウンロード」ともいう。）する。
【００５７】
ログ解析機能付き無線通信装置は、無線通信端末から送信されたログ情報を受信後、試験実施中の無線通信端末の動作の詳細情報が示されているログ情報を解析する。ログ解析機能付き無線通信装置は、この解析結果において、試験用無線通信方式のプログラム（ソフトウェア）の問題点を検出した場合には、動作確認済無線通信方式のプログラムを用いて、問題点を修正・更新し、問題点が修正・更新された試験用無線通信方式のソフトウェア（プログラムおよびデータ）を無線通信端末に送信する。
ところで、無線通信処理ソフトウェアの問題点が解決されるか、別の新たな問題点が検出されないか、を確かめるために、ログ解析結果（ログ解析結果格納メモリに格納された無線通信シーケンスの差異情報）より修正済試験用プログラム（データを含む）が作成され、無線通信端末で再度、試験が実施される。
【００５８】
ここで、「作成」は、修正前の試験用プログラムを修正することを意味する。ログ解析結果より修正済試験用プログラムをどのように作成するか、すなわち試験用プログラムをどのように修正するか、については、無線通信シーケンスの差異情報、つまり差異を生じた位置とその内容情報と、プログラム中の相当する部分やプログラム中のパラメータを、関係付けておき、その上で、ログ解析結果格納メモリに格納された無線通信シーケンスの差異情報より、無線通信処理ソフトウェアの中の問題点が存在するプログラムの部分やプログラム中のパラメータを特定し、予め用意しておいたプログラムモジュールやパラメータの中から予め差異情報と結びつけておいたプログラムモジュールやパラメータを選び、修正済試験用プログラムの問題点が存在するプログラムの部分やプログラム中のパラメータと置き換えることで行われる。
【００５９】
無線通信端末は、修正・更新された試験用無線通信方式のソフトウェアを端末側メモリの一つとしてのバッファメモリで受信し、その後、試験用無線通信方式用の端末側メモリの一つとしての動作メモリに転送する。
無線通信端末は、ログ解析機能付き無線通信装置との間で、これらの一連の処理手順を繰り返すことにより、試験用無線通信方式の改善を暫時実行して、試験用無線通信方式のプログラム（ソフトウェア）の瑕疵の撲滅を図る。
【実施例１】
【００６０】
実施例１について図１を参照して説明する。図１に示した通信システムが、本発明の無線通信端末の試験方法へ適用される実施例である。
図１に示した無線通信端末１は、未だ動作が完全に保証されない試験用無線通信方式のプログラム・試験用通信プロトコルスタック、および、既に動作が完全に保証される動作確認済無線通信方式のプログラム・試験用通信プロトコルスタックの両プログラム、および両プロトコルスタックの両プロトコルスタックを搭載している。なお、本構成において、無線通信端末の試験は、試験用無線通信方式のプログラムであるソフトウェアを用いて実施する。これらの構成内容を以下に詳述する。
【００６１】
図１に示した第１の通信システムは、無線通信端末１とログ解析機能付き無線通信装置２とで構成される。
一方の無線通信端末１は、通信用ＭＰＵ（Micro Processing Unit）１０を制御中心部として、端末側メモリとしてのログ取得用不揮発性メモリ１１、バッファメモリ１２、通信動作メモリ１３、汎用ハードウェアディジタル１４、動作確認済ソフトウェア格納メモリ１５、試験用ソフトウェア格納メモリ１６、汎用ハードウェアアナログ１７、を有して構成される。
【００６２】
ここで、ログ取得用不揮発性メモリ１１には、例えば、ＥＰＲＯＭ（Erasable Programmable Read Only Memory）、ＥＥＰＲＯＭ（Electrical Erasable PROM）、フラッシュメモリ、強誘電体メモリ等が用いられる。
他方のログ解析機能付き無線通信装置２は、ＭＰＵ２０を制御中心部として、ログ格納メモリ２１、バッファメモリ２２、動作メモリ２３、汎用ハードウェアディジタル２４、動作確認済ソフトウェア格納メモリ２５、汎用ハードウェアアナログ２７、ログ解析用ソフトウェア格納メモリ２８、を有して構成される。
【００６３】
バッファメモリ１２、２２、通信動作メモリ１３、動作メモリ２３、動作確認済ソフトウェア格納メモリ１５、２５、試験用ソフトウェア格納メモリ１６、ログ解析用ソフトウェア格納メモリ２８は、不揮発性メモリを用いずに揮発性メモリ、例えばＤＲＡＭ（Dynamic Random Access Memory）やＳＲＡＭ（Static RAM）が用いられていてもよい。
汎用ハードウェアディジタル１４、２４は、汎用ハードウェアのうちディジタル信号を処理する回路である。
汎用ハードウェアアナログ１７、２７は、汎用ハードウェアのうちアナログ信号を処理する回路である。
【００６４】
無線通信端末１は、本無線通信端末１の内部動作に関するログ情報を出力する機能を具備している。本構成の無線通信端末１は、試験実施中にログ情報を、無線通信端末１内に具備するログ採取用不揮発性メモリ１１に格納する。
また、無線通信端末１は、試験終了後、動作確認済ソフトウェア格納メモリ１５内にストアされた動作確認済無線通信方式のプログラムであるソフトウェアを用いて、格納されたログ情報をログ解析機能付き無線通信装置２に送信する。
ログ解析機能付き無線通信装置２は、無線通信端末１から受信したログ情報をバッファメモリ２２で受信し、その後、そのログ情報をログ格納メモリ２１に転送する。
【００６５】
無線通信端末１と無線で接続されるログ解析機能付き無線通信装置２は、ログ解析用ソフトウェア（２８）を走らせ（動作させ）、試験実施中の無線通信端末１の内部動作に関するログ情報を解析する。
ログ解析機能付き無線通信装置２は、上記解析の結果、問題点を検出した場合には、動作確認済ソフトウェア格納メモリ２５に格納された動作確認済ソフトウェアを用いてこの問題点を修正・更新し、問題点が修正・更新された試験用ソフトウェア（プログラムおよびデータ）を、無線通信端末１に送信する。
無線通信端末１は、上記の修正・更新されたソフトウェアをバッファメモリ１２で受信し、その後、通信用動作メモリ１３に転送する。
【００６６】
無線通信端末１は、通信用動作メモリ１３に転送された修正・更新済の試験用無線通信方式のプログラムおよび試験用無線通信プロトコルスタックに関するデータをログ解析機能付き無線通信端末３に送信する。
無線通信端末１およびログ解析機能付き無線通信端末３は、ソフトウェアのバグがなくなるまでこれらの手順を繰り返すことにより、試験用無線通信方式のプログラムであるソフトウェアの改善を図ることができる。
ここで、通信プロトコルスタックとは、通信処理系の複数の階層における通信手順（プロトコル）の通信処理ソフトウェア群を意味する。
【００６７】
図３は図１に示した無線通信試験システムのフロー図である。
図３において、試験用ソフトウェアを用いて試験を開始すると、無線通信端末１の通信用ＭＰＵ１０（図１参照）は通信用動作メモリに試験用ソフトウェアを転送し、試験を開始する（ステップＳ１）。
通信用ＭＰＵ１０は、ログをログ採取用不揮発メモリにストアを開始する（ステップＳ２）。
通信用ＭＰＵ１０は、ログのストアが終了し試験が終了したか否かを判定し（ステップＳ３）、両者が終了していないと判定した場合（ステップＳ３／ＮＯ（継続））には継続し、終了したと判定した場合（ステップＳ３／ＹＥＳ（終了））には動作確認済みソフトウェアを用いて、ログ解析機能付き無線通信装置２（図１参照）へログを送信する（ステップＳ４）。
ログ解析機能付き無線通信装置２のＭＰＵ２０は、ログをバッファメモリ２２で受信し（ステップＳ５）、ログ格納メモリ２１（共に図１参照）に転送する（ステップＳ６）。
ＭＰＵ２０は、ログ解析用ソフトウェアを起動し、ログを解析する（ステップＳ７）。
ＭＰＵ２０は、ログ解析結果判定がＯＫであるか否かを判定し（ステップＳ８）、ＯＫであると判定した場合には（ステップＳ８／ＹＥＳ）試験用ソフトウェアが完成し、ＯＫではないと判定した場合には（ステップＳ８／ＮＯ）試験用ソフトウェアの修正を行う（ステップＳ９）。
ＭＰＵ２０は、無線通信端末１へ修正済み試験用ソフトウェアを送信し（ステップＳ１０）、無線通信端末１は修正済み試験用ソフトウェアをバッファメモリ１２で受信しステップＳ１に戻る（ステップＳ１１）。
【実施例２】
【００６８】
実施例２について図２を参照して説明する。図２に示した通信システムが、本発明の無線通信端末の試験方法へ適用される実施例である。
図２に示した通信システムは、ログ解析機能付き無線通信端末３とログ解析機能付き無線通信装置４とを有して構成される。
【００６９】
ログ解析機能付き無線通信端末３は、通信用ＭＰＵ１０およびログ解析用ＭＰＵ３０を制御中心部として、ログ採取用不揮発性メモリ１１、バッファメモリ１２、通信用動作メモリ１３、汎用ハードウェアディジタル１４、動作確認済ソフトウェア格納メモリ１５、試験用ソフトウェア格納メモリ１６、汎用ハードウェアアナログ１７、ログ解析用ソフトウェア格納メモリ３２、ログ解析用動作メモリ３１、および問題点記述格納メモリ３３で構成されている。
【００７０】
ログ解析機能付き無線通信装置４は、ＭＰＵ２０を制御中心部として、バッファメモリ２２、動作メモリ２３、汎用ハードウェアディジタル２４、動作確認済ソフトウェア格納メモリ２５、汎用ハードウェアアナログ２７、ログ解析用ソフトウェア格納メモリ２８、および、ログ解析結果およびログ格納メモリ２１で構成されている。
本実施例２において、ログ解析機能付き無線通信端末３は、未だ動作が完全に保証されない試験用無線通信方式のプログラム・試験用通信プロトコルスタック、および、既に動作が完全に保証される動作確認済無線通信方式のプログラム・試験用通信プロトコルスタックの両プログラムと両プロトコルスタックとを搭載している。また、無線通信端末３の試験は、試験用無線通信方式のプログラム（ソフトウェア）を用いて実施する。
【００７１】
ログ解析機能付き無線通信端末３は、本無線通信端末３の内部動作に関するログ情報を出力する機能を具備し、試験実施中に、ログ情報をログ解析機能付き無線通信端末３が具備するログ採取用不揮発性メモリ１１に格納するとともに、バッファメモリ１２に転送する。また、ログ解析機能付き無線通信端末３は、ログ情報をリアルタイムに解析する機能を具備し、バッファメモリ１２に転送されたログ情報を、ログ解析用の専用のＭＰＵ３０を用いてリアルタイムに解析する。
【００７２】
ログ解析機能付き無線通信端末３は、このログ情報の解析の結果、問題点記述格納メモリ３３に格納された内容と同一であることを検出した場合には、試験を中断し、既に動作が完全に保証される動作確認済ソウトウェアを用いて、ログ情報およびログ解析機能付き無線通信端末３が解析したログ情報の解析結果を、ログ解析機能付き無線通信装置４に自動的に送信する。
無線通信端末３と無線で接続されるログ解析機能付き無線通信装置４は、ログ情報およびログ解析機能付き無線通信端末３が解析したログ情報の解析結果をバッファメモリ１２で受信し、その後、ログ情報およびログ解析結果およびログ格納メモリ２１に転送する。
【００７３】
ログ解析機能付き無線通信装置４は、ログ解析結果に基いて、ログ解析用ソフトウェアを走らせ、試験実施中のログ解析機能付き無線通信端末３の動作の詳細情報を示すログ情報を解析する。
ログ解析機能付き無線通信装置４は、問題点を検出した場合には、動作確認済ソフトウェアを用いて、問題点が修正・更新された試験用ソフトウェア（プログラムおよびデータ）をログ解析機能付き無線通信端末３に送信する。
ログ解析機能付き無線通信端末３は、修正・更新されたソフトウェアをバッファメモリ１２で受信し、その後、通信用動作メモリ１３に転送する。ソフトウェアのバグがなくなるまでこれらの動作を繰り返し実行し、ソフトウェアの改善を図る。
【００７４】
図４は図２に示した無線通信試験システムのフロー図である。
図４において、無線通信端末（ログ解析機能付き無線通信端末）３が試験用ソフトウェアを用いて試験を開始すると、ログ解析用ＭＰＵ３０（図２参照）は通信用動作メモリ１３（図２参照）に試験用ソフトウェアを転送し、試験を開始する（ステップＴ１）。
ログ解析用ＭＰＵ３０は、ログをバッファメモリ１２に転送し、リアルタイムでログを解析し、ログをログ採取用不揮発性メモリ１１（図２参照）にストア開始する（ステップＴ２）。
ログ解析用ＭＰＵ３０は、問題点記述格納メモリ３３（図２参照）の内容と比較し一致するか否かを判定し（ステップＴ３）、不一致であると判定した場合（ステップＴ３／ＮＯ）にはステップＴ３に戻り、一致していると判定した場合（ステップＴ３／ＹＥＳ）ログのストア終了し、試験を終了する（ステップＴ４）。
通信用ＭＰＵ１０（図２参照）は、動作確認済みソフトウェアを用いて、ログ解析機能付き無線通信装置４（図２参照）へログおよびログ解析結果を自動送信する（ステップＴ５）。
【００７５】
一方、ログ解析機能付き無線通信装置４のＭＰＵ２０（共に図２参照）は、ログ解析機能付き無線通信端末３からのログおよびログ解析結果をバッファメモリ２２（図２参照）で受信し（ステップＴ６）、ＭＰＵ２０（図２参照）はログ解析結果およびログ格納メモリに２１（図２参照）に転送する（ステップＴ７）。
ＭＰＵ２０は、ログ解析用ソフトウェアを起動し、ログ解析機能付き無線通信端末３でのログ解析結果を参照してログを解析する（ステップＴ８）。
ＭＰＵ２０は、ログ解析結果がＯＫであるか否かを判定し（ステップＴ９）、ＯＫであると判定した場合（ステップＴ９／ＹＥＳ）には、試験用ソフトウェアが完成し、ＮＧであると判定した場合（ステップＴ９／ＮＯ）には試験用ソフトウェアの修正を行う（ステップＴ１０）。
ログ解析機能付き無線通信装置４は、ログ解析機能付き無線通信端末３へ修正済み試験用ソフトウェアを送信する（ステップＴ１１）。
通信用ＭＰＵ１０は、修正済み試験用ソフトウェアをバッファメモリ１２で受信しステップＴ１に戻る（ステップＴ１２）。
また、未だ動作が完全に保証されない試験用無線通信方式のプログラム、および、既に動作が完全に保証される動作確認済無線通信方式のプログラムの両プログラムを無線通信端末へ搭載する。このことで、ログ情報の送信、および、修正・更新されたソフトウェアの受信がリアルタイムで実施でき、実無線環境下におけるフィールド試験へ適用が可能となる。本方式のプログラムの適用において、ソフトウェアの改善の効率性を高めることができる。
【００７６】
また、さらに、ログ解析機能付き無線通信端末３にログ解析機能付き無線通信端末３の動作の詳細情報を示すログ情報をリアルタイムに解析する機能を搭載すれば、ログ解析機能付き無線通信装置４に全てのログ情報を送信せずに、ログ情報の解析結果だけの送信も可能となり、ソフトウェアの修正・更新のスピードアップを図ることができる。これにより、実無線環境下におけるフィールド試験の効率が非常に高くなり、実証試験期間が短縮化される。
【００７７】
ところで、本発明は、上記実施例１、２に限定されるものではない。
本発明は、無線通信端末単体で、
（ａ）ログ情報の取得・格納
（ｂ）ログ情報のアップロード
（ｃ）プログラムのダウンロード
が実現でき、さらに
（ｄ）ログ情報の取得・格納
（ｅ）ログ情報のアップロードにおいては、自動試験が実施できる
という構成要素を備えている。
このように無線通信端末単体で（ａ）〜（ｅ）に示すことを実現できることは、無線通信端末単体で実施するフィールド試験環境下において、非常にメリットがある。
【００７８】
これに対して、従来技術では、前記（ａ）〜（ｅ）に示すことを実現するために、無線通信端末にノートパソコン（ＰＣ）等を接続し、ＰＣ側で
(I)  ログ情報の取得・格納
(II)ログ情報のアップロード
(III)プログラムのダウンロード
等の処理を実行している。
【００７９】
本発明の無線通信端末は、未だ動作が完全に保証されていない試験用無線通信方式のプログラム、既に動作が完全に保証されている動作確認済無線通信方式のプログラム、未だ動作が完全に保証されていない試験用無線通信プロトコルスタック、および、既に動作が完全に保証されている動作確認済無線通信プロトコルスタックを無線通信端末に具備し、試験用無線通信方式のプログラムと試験用無線通信プロトコルスタックを用いて試験（通信動作試験）を実施し、試験実施中、無線通信端末の内部動作に関するログ情報を知るために、ログ格納用不揮発性メモリにログ情報を格納し、試験終了後、動作確認済無線通信方式のプログラムと動作確認済無線通信プロトコルスタックとを用いてログ解析機能付き無線通信装置にログ情報を送信し、ログ解析機能付き無線通信装置は、ログ解析プログラム格納用メモリに格納されているプログラム（データを含む）を用いてそのログ情報を解析し、ログ情報の解析結果より、修正済試験用プログラム（データを含む）を作成し、修正済試験用無線通信方式のプログラムと試験用無線通信プロトコルスタックのプログラム（データ含む）とを無線通信端末に送信する。
【００８０】
ここで、「無線通信プロトコルスタック」は、ソフトウェア無線で実現する「無線通信方式」を除いた残りの部分の無線通信処理ソフトウェアを意味する。
ログ解析機能付き無線通信装置のログ解析プログラム格納用メモリに格納されているログ解析プログラム（データを含む）は、無線通信端末の無線通信方式のプログラムと無線通信プロトコルスタックの通信処理ソフトウェアのどこの部分に問題があるのかの絞り込みを行う。通信処理ソフトウェアにおける問題点の絞り込みを行うことをログ解析という。
ログ解析機能付き無線通信装置のログ解析プログラムは、無線通信端末が具備する試験用無線通信方式のプログラムと試験用無線通信プロトコルスタックの無線通信処理ソフトウェアを用いて採取されたログ情報から、解析（問題点の絞り込み）対象となる無線通信シーケンスを抜き出し、事前にプログラムのデータ領域に記載しておいた規定の無線通信シーケンスと比較し、差異部分を抜き出し、それをログ解析結果格納メモリに格納する。ログ解析結果格納メモリに格納された無線通信シーケンスの差異情報を見るだけ、無線通信処理ソフトウェアの問題点の絞り込みを可能とし、ソフトウェアの開発工程の短縮化を実現することができる。
【００８１】
また、「試験用無線通信方式のプログラムと試験用無線通信プロトコルスタックとを具備することで、ログ情報の送信（アップロード）と試験用プログラムの受信（ダウンロード）とが可能となる」のは、試験用の無線通信方式のプログラムと試験用の無線通信プロトコルスタックの無線通信処理ソフトウェアとは動作が保証されていないので、ログ情報の送信（アップロード）と試験用プログラムの受信（ダウンロード）に用いるには不適切である。
そこで、動作確認済の無線通信方式のプログラムと動作確認済の無線通信プロトコルスタックの通信処理ソフトウェアとを無線通信端末に具備することで、試験時に採取したログ情報の送信（アップロード）と修正済プログラムの受信（ダウンロード）とを可能にした。
【００８２】
無線通信端末は、動作確認済無線通信方式のプログラムと動作確認済無線通信プロトコルスタックとを用いてプログラムを受信し、これら一連の処理（試験の実施から修正済試験用プログラムの作成、送信までの処理）においてフィードバックループを構成し、繰り返し実行することにより、未完成の試験用無線通信方式のプログラム、および試験用無線通信プロトコルスタックの改善を図るようにしてもよい。
【００８３】
ここで、「無線通信方式のプログラム、無線通信プロトコルスタックを無線通信端末に具備する」とは、これら（汎用ハードウェアを用い複数のファームウェアをメモリに具備し、それを切り替える無線通信方式としてのソフトウェア無線装置と、無線通信プロトコルスタックの無線通信処理ソフトウェア）を無線通信端末に具備することを意味する。
また、「無線通信端末は、動作確認済無線通信方式のプログラムと動作確認済無線通信プロトコルスタックとを用いてプログラムを受信し」とは、動作確認済無線通信方式のプログラムと動作確認済無線通信プロトコルスタックのプログラム（＝動作確認済無線通信処理ソフトウェア）を用いて、無線通信端末を動作させ、修正済無線通信方式のプログラムと修正済無線通信プロトコルスタックのプログラム（＝無線通信処理ソフトウェア）をログ解析機能付き無線通信端末から受信し、試験用プログラムダウンロード用バッファメモリにダウンロードすることを意味する。
【００８４】
無線通信端末のプログラムがモジュール化されている場合、修正されたモジュール部分のみのプログラム（＝無線通信処理ソフトウェア）をログ解析機能付き無線通信装置が受信する。
「これら一連の処理においてフィードバックループを構成し、繰り返し実行する」について、そのループ範囲は、特許請求の範囲に記載されている通りとする。
「未完成の試験用無線通信方式のプログラムと試験用無線通信プロトコルスタックとの改善を図り」のうち、
（イ）「未完成の試験用無線通信方式のプログラムの改善」とは、無線通信方式（ソフトウェア無線）のプログラムを修正することを意味し、
（ロ）「未完成の試験用無線通信プロトコルスタックの改善」とは、無線通信プロトコルスタックのプログラムを修正することを意味する。
【００８５】
ログ情報のためのデータを集める方法は、無線通信端末の試験時、ログ情報として採取したい無線通信端末の内部動作に関する詳細情報を無線通信端末のログ格納用不揮発性メモリに格納するように、無線通信端末のコントローラ（ＣＰＵ(Central Processing Unit)）をプログラミングすることである。例えば、無線通信端末のＣＰＵやＤＳＰ（Digital Signal Processor）のレジスタやローカルメモリ等の内容を無線通信端末のログ格納用不揮発性メモリに格納するように、無線通信端末のコントローラ（ＣＰＵ）をプログラミングすればよい。
【００８６】
また、無線通信端末の試験において、リアルタイムログモニタ機能による無線通信端末の内部動作の詳細情報を示す第一の情報としてのログ情報、例えば、試験実施後に取得した無線通信システムのシステム情報、試験用無線通信方式の仕様を決定する無線通信方式パラメータ、および、試験用無線通信のシーケンスパターンの情報、測定部による第二の情報としての測定値情報、例えば、ＲＳＣＰ（Received Signaling Code Power）、ＲＳＳＩ（Received Signal Strength Indicator）、Ｅｃ／Ｎｏ（The received energy per chip divided by the power density in the band）、ＢＬＥＲ（Block Error Rate）、および、ＳＩＲ（Signal to Interference Ratio）、時刻機能による第三の情報としての時刻情報、ＧＰＳ（Global Positioning System：全地球測位）測位部による第四の情報としての位置情報、試験実施前に取得した第五の情報としての無線通信システムのシステム情報等の第一から第五の情報（以下、「端末情報」と言う。）を監視し、これらの端末情報に基づき設定される発信および着信作動トリガ条件テーブル、通信終了作動トリガ条件テーブル、通信終了正常動作条件テーブル、および、端末異常動作条件テーブルにより、発信および着信と通信終了の制御、通信終了後の正常動作と端末の異常動作の判断を行うようにしてもよい。
【００８７】
ここで、「リアルタイムログモニタ機能による無線通信端末の内部動作に関するログ情報」とあるが、「リアルタイムログモニタ機能」とは、無線通信端末がリアルタイムに無線通信端末の内部動作に関するログ情報を監視し、そのログ情報をメモリに格納する機能を意味する。
「ログ情報」とは、無線通信端末がリアルタイムに監視できる無線通信端末の内部動作に関するログ情報やログ格納用不揮発性メモリに格納できる無線通信端末の内部動作に関する詳細情報をログ情報と呼ぶ（一般的には、無線通信端末の外部インターフェースによって採取した無線通信端末の内部情報を意味し、通信ログ情報という場合は、無線通信端末が送受信する通信メッセージ等を意味する。）。
【００８８】
「試験実施後に取得した無線通信システムのシステム情報、試験用無線通信方式のプログラムの仕様を決定する無線通信方式パラメータ、および試験用無線通信のシーケンスパターンの情報」とあるが、
（α）「試験実施後に取得した無線通信システムのシステム情報」とは、無線通信端末が無線通信をするのに必要なシステム情報である。本発明を移動通信端末に適用した場合には、基地局からシステム情報を入手する。
（β）「試験用無線通信方式のプログラムの仕様を決定する無線通信方式パラメータ」とは、復調方式、周波数制御方式、送信電力等が該当する。
（γ）「試験用無線通信のシーケンスパターンの情報」とは、例えば、Ｗ−ＣＤＭＡ移動通信端末の場合、３ＧＰＰの仕様書で規定されている主にレイヤー３の通信メッセージから構成されている移動通信端末と基地局との間の送受信の一連の通信メッセージのパターン情報である。
【００８９】
また、「測定置情報」とは、ＲＳＣＰ、ＲＳＳＩ、Ｅｃ／Ｎｏ、ＢＬＥＲ、およびＳＩＲ等の無線通信端末の無線測定パラメータである。
「試験実施前に取得した無線通信システムのシステム情報」については、通常は、無線通信端末は、試験実施の初期段階で無線通信システムのシステム情報を取得し、無線通信を行うが、本発明の「試験実施前に取得した無線通信システムのシステム情報」とは、例えば、移動通信端末の場合は、事前に入手した基地局の詳細情報、あるいは移動通信端末がシステム情報からは取得できない基地局の詳細情報を意味する。
「（略）情報を監視し、これらの情報に基づき設定される発信および着信作動トリガ受験テーブル、通信終了作動トリガ条件テーブル、通信終了正常動作条件テーブル、および端末異常動作条件テーブル」とあるのは、着信作動トリガ条件テーブル、通信終了作動トリガ条件テーブル、通信終了正常動作条件テーブル、および端末異常動作条件テーブルに記載されている情報を基準にして、無線通信端末の内部動作に関するログ情報を監視し、作動トリガ条件が設定条件と一致したら、これをトリガにしてアクションを実行させる。着信動作トリガ条件テーブル、通信終了作動トリガ条件テーブル、通信終了正常動作条件テーブル、および端末異常動作条件テーブルには、無線通信端末の試験環境項目によって、各々の条件テーブルを設定することを意味する。
【００９０】
「（略）テーブルにより、発信および着信と通信終了の制御、通信終了後の正常動作と端末の異常動作の判断を行う」とあるのは、例えば、発信および通信の終了に、時刻機能による時刻情報を利用する場合、予め、発信作動トリガ条件テーブルに記載した時刻で、無線通信端末を発信させ、通信終了作動トリガ条件テーブルに記載した時刻で、無線通信端末の通信を終了させることを意味する。すなわち、本発明によれば自動発信・終了の実施ができる。また、リアルタイムログモニタ機能による無線通信端末の内部動作に関するログ情報を利用する場合、予め通信終了正常動作条件テーブルに、通信の終了の正常時の無線通信シーケンスパターンを記載し、無線通信端末の試験時に、無線通信端末の通信の終了の無線通信シーケンスパターンと上記シーケンスパターンとが一致した場合は、通信の終了が正常に動作したと判断する。
【００９１】
次に本発明の他の実施例について説明する。
本発明は、未だ動作が完全に保証されていない試験用無線通信方式のプログラム、既に動作が完全に保証されている動作確認済無線通信方式のプログラム、未だ動作が完全に保証されていない試験用無線通信プロトコルスタック、および、既に動作が完全に保証されている動作確認済無線通信プロトコルスタックを無線通信端末に搭載することで、ログ情報の送信（アップロード）と試験用プログラムの受信（ダウンロード）とが可能となり、すなわち、試験を実施した場所とは別の場所からでもログ情報を解析することができ、解析結果から適宜修正され、修正された試験用プログラムの送付を受け、再試験の実施が可能となり、試験の効率性を高めることができる。
【００９２】
ここで、「再試験の実施が可能となり、試験の効率性を高めることができる。」のは、本発明では、無線通信端末を繰り返すプロセスにおいて、自動発信や自動終了、自動ログ情報の送信（アップロード）および修正済プログラムの受信（ダウンロード）を導入することにより、試験の効率を高めることが目的である。この試験効率を高めることができるポイントは、無線通信端末を用いて、ログ情報の自動送信（アップロード）および試験用プログラムの受信（ダウンロード）ができる点である。
【００９３】
また、無線通信端末の試験において、リアルタイムログモニタ機能による無線通信端末の内部動作の詳細情報を示すログ情報、例えば、試験実施後に取得した無線通信システムのシステム情報、試験用無線通信方式の仕様を決定する無線通信方式パラメータ、および、試験用無線通信のシーケンスパターンの情報、測定部による測定値情報、例えば、ＲＳＣＰ、ＲＳＳＩ、Ｅｃ／Ｎｏ、ＢＬＥＲ、および、ＳＩＲ、時刻機能による時刻情報、ＧＰＳ測位部による位置情報、試験実施前に取得した無線通信システムのシステム情報等の端末情報を監視し、これらの端末情報に基づき設定される発信および着信作動トリガ条件テーブル、通信終了作動トリガ条件テーブル、通信終了正常動作条件テーブル、および、端末異常動作条件テーブルにより、発信および着信と通信終了の制御、通信終了後の正常動作と端末の異常動作の判断を行うことにより、想定する試験環境で自動的に試験が実施できるので、試験の効率性アップが期待でき、本発明の効果は高い。
【００９４】
ここで、「（略）テーブルにより、発信、着信、および通信終了の制御、通信終了後の正常動作と端末の異常動作の判断を行うことにより、想定する試験環境で自動的に試験が実施できるので、」とあるが、予め試験環境の条件をテーブルに記載しておくので、無線通信端末の試験実施時に、条件テーブルと比較しながら、試験環境を監視すれば、想定する試験環境の条件をトリガとすることで、自動的に試験を実施することができる。
【実施例３】
【００９５】
実施例３について図５を参照して説明する。
図５は本発明の無線通信端末の試験方法を適用したシステムを示す図である。
実施例３は未だ動作が完全に保証されていない試験用無線通信プロトコルスタック、および、既に動作が完全に保証されている動作確認済無線通信プロトコルスタックを具備するソフトウェア無線技術を用いた無線通信端末の無線通信プロトコルスタックに関する試験方法である。
無線通信端末５は、コントローラ５０を制御中心部として、発信および着信作動トリガ条件テーブル用メモリ５１と、試験実施前に取得した無線通信システムのシステム情報５２と、測定部、タイマー部（時刻機能）、およびＧＰＳ機能を有する端末情報部５３と、デジタル汎用ハードウェア（汎用ハードウェアディジタル）５４ａと、アナログ汎用ハードウェア（汎用ハードウェアアナログ）５４ｂと、プログラム動作用メモリ５５と、試験用プログラム格納用不揮発性メモリ５６と、動作確認済プログラム格納用不揮発性メモリ５７と、ログ格納用不揮発性メモリ５８と、リアルタイムログ出力用バッファメモリ５９とで構成されている。
【００９６】
無線通信端末５と無線で接続されるログ解析機能付き無線通信装置６は、ログ解析用コントローラ６３を制御中心部として、ログ解析プログラム格納用メモリ６１と、プログラム動作用メモリ６２と、ログ解析結果格納用メモリ６４とで構成されるログ解析機能部６００に、通信用コントローラ６６を制御中心部として、ログ格納メモリ６０と、ディジタル汎用ハードウェア６５と、アナログ汎用ハードウェア６７と、プログラム動作用メモリ６８と、動作確認済プログラム格納不揮発性メモリ６９とで構成された本体部が接続されて構成されている。
【００９７】
無線通信端末５は、試験用プログラム格納用不揮発性メモリ５６に格納してある試験用無線通信プロトコルスタックを用い、すなわち、試験用プログラムをプログラム動作用メモリ５５に転送し、試験を実施する。
試験実施中、無線通信端末５の内部動作に関するログ情報を知るために、ログ格納用不揮発性メモリ５８にログ情報を格納する。
ログ格納用不揮発性メモリ５８へのログ情報の書き込みがリアルタイムで間に合わない場合は、一時的に、高速書き込みが可能なリアルタイムログ出力用のバッファメモリ５９に書き込み、そのバッファメモリ５９からログ情報の転送を行う。
試験終了後、格納されたログ情報をログ解析機能付き無線通信装置６にアップロードしてログ解析するために、動作確認済プログラム格納用不揮発性メモリ６９に格納してある動作確認済無線通信プロトコルスタックを用いてログ解析機能付き無線通信装置５にログ情報を送信する。
【００９８】
ログ解析機能付き無線通信装置６は、動作確認済プログラム格納用不揮発性メモリ６９に格納してある動作確認済無線通信プロトコルスタックを用いてログ情報を受信する。
ログ解析機能付き無線通信装置６は、ログ解析プログラム格納用メモリ６１に格納されているプログラム（データを含む）を用いてそのログ情報を解析し、その結果をログ解析結果格納用メモリ６４に格納する。
ログ解析機能付き無線通信装置６は、ログ解析結果格納用メモリ６４を参照することで、試験用無線通信プロトコルスタックにおける問題点を修正・更新し、修正・更新した試験用プログラム（データを含む）を無線通信端末５の試験用プログラム格納用不揮発メモリ５６に格納する。
これらの一連の処理（試験の実施から修正・更新までの処理）においてフィードバックループを構成し、繰り返し実行することにより、未完成の試験用無線通信プロトコルスタックの改善を図る。
【００９９】
図７は図５に示した無線通信試験システムのフロー図である。
図７において、無線通信端末５のコントローラ５０（共に図５参照）が試験用プログラムを用いて試験を開始すると、コントローラ５０はプログラム動作用メモリ５５に試験用プログラムを転送し、試験を開始する（ステップＵ１）。
コントローラ５０は、ログをバッファメモリ（リアルタイムログ出力用バッファメモリ）５９に転送し、ログをログ採取用不揮発正メモリにストア開始する（ステップＵ２）。
コントローラ５０は、第一から第五の情報を監視し（ステップＵ３）、発信作動トリガ条件または着信作動トリガ条件が一致するか否かを判定する（ステップＵ４）。
コントローラ５０は、ステップＵ４でトリガ条件が一致していないと判定した場合（ステップＵ４／ＮＯ）にはステップＵ４に戻り、トリガ条件が一致していると判定した場合（ステップＵ４／ＹＥＳ）には自動発信または自動着信を行う（ステップＵ５）。
コントローラ５０は、ログのストアが終了し、試験が終了したか否かを判定し（ステップＵ６）、終了していないと判定した場合（ステップＵ６／ＮＯ）にはステップＵ６に戻り、終了したと判定した場合（ステップＵ６／ＹＥＳ）には動作確認済みプログラムを用いて、ログ解析機能付き無線通信措置６（図５参照）へログを送信する（ステップＵ７）。
ログ解析機能付き無線通信装置６は、無線通信端末５からログを受信すると（ステップＵ８）、ログ解析用コントローラ６３（図５参照）は、ログ解析用プログラムを起動し、ログを解析する（ステップＵ９）。
【０１００】
ログ解析用コントローラ６３は、ログ解析結果をログ解析格納メモリ６０に格納し（ステップＵ１０）、ログ解析格納メモリを参照して、ログ解析結果の判定がＯＫか否かを判定する（ステップＵ１１）。
ログ解析用コントローラ６３は、ステップＵ１１で判定結果がＯＫである場合（ステップＵ１１／ＹＥＳ）には試験用プログラムが完成し、ステップＵ１１で判定結果がＯＫではない場合（ステップＵ１１／ＮＯ）には、試験用プログラムの修正を行い（ステップＵ１１）、無線通信端末５へ修正済み試験用プログラムを送信する（ステップＵ１３）。
無線通信端末５は、ログ解析機能付き無線通信装置６から修正済み試験用プログラムを受信すると、修正済み試験用プログラムをバッファメモリで受信し、ステップＵ１に戻る（ステップＵ１４）。
【０１０１】
無線通信端末５の試験の発信および着信の作動については、リアルタイムログモニタ機能による無線通信端末の内部動作の詳細情報を示すログ情報、例えば、試験実施後に取得した無線通信システムのシステム情報、および、試験用無線通信のシーケンスパターンの情報、測定部による測定値情報、例えば、ＲＳＣＰ、ＲＳＳＩ、Ｅｃ／Ｎｏ、ＢＬＥＲ、および、ＳＩＲ、タイマー部による時刻情報、ＧＰＳ測位部による位置情報、および、試験実施前に取得した無線通信システムのシステム情報等の端末情報を監視し、端末情報により構成される発信および着信の作動トリガ条件を発信および着信作動トリガ条件テーブルに予め設定し、設定条件と一致した場合に、発信および着信を自動的に実施する。
【０１０２】
ここで、「端末情報により構成される発信および着信の作動トリガ条件」とは、具体的には以下のような条件が挙げられる。
例えば、移動通信端末の試験時の発信条件としては、第一の情報に待ち受け状態時の無線通信シーケンスパターンの特定ポイント、第二の情報に指定範囲内のＲＳＣＰ値、第三の情報に待ち受け状態時の無線通信シーケンスパターンの特定ポイントからの指定時間、第四の情報に指定範囲内の場所、第五の情報に試験前に取得した基地局のスクランブルコード、を設定しておき、第一の情報から第五の情報までの全ての端末情報の全ての条件を満たす場合に、移動通信端末を発信させることが挙げられる。
【０１０３】
また、「発信および着信の作動トリガ条件を発信および着信作動トリガ条件テーブルに予め設定し、設定条件と一致した場合に、発信および着信を自動的に実施する」において、「設定条件」とは、テーブルに予め設定する端末条件である。
【実施例４】
【０１０４】
実施例４において、実施例３から拡張されたポイントを以下に示す。
（１）ソフトウェア無線技術に対応するために、無線通信プロトコルスタックだけでなく、無線通信方式のプログラムについても考慮した。
（２）アップロードするログ情報の範囲を設定する機能を有する。
（３）無線通信端末は、ログ解析機能付き無線通信装置から、修正済試験用無線通信方式のプログラムと試験用無線通信プロトコルスタックのプログラムとをダウンロードする機能を有する。
（４）無線通信端末の試験の通信終了を自動的に実施する機能を有する。
（５）通信終了正常動作、通信終了異常動作、および、端末異常動作を監視し、それに応じて、ログ解析機能付き無線通信装置にログ情報を自動的にアップロードする機能を有する。
（６）無線通信端末は、ログ解析機能付き無線通信装置から、修正済試験用プログラムに対応した試験用各種テーブルの設定データをダウンロードする機能を有する。
【０１０５】
ここで、（６）に「ダウンロードする機能」とあるが、ログ解析結果格納用メモリの内容およびログ情報に基づいて修正されたプログラムを修正済試験用プログラム格納メモリに格納し、無線通信端末がログ解析機能付き無線通信装置から「修正済試験用無線通信方式のプログラム」すなわち「修正済試験用ソフトウェア無線」の無線通信処理ソフトウェア（＝プログラム）をダウンロードすることを意味する。ログ解析機能付き無線通信装置はデータ通信のペイロード部に「修正済試験用無線通信方式」のソフトウェアを載せ、送信し、無線通信端末は、それを受信し、「修正済試験用無線通信方式のプログラム」のソフトウェアを試験用プログラムダウンロード用バッファメモリに格納することを意味する。
【０１０６】
（４）に「無線通信端末の試験の通信終了を自動的に実施する機能」とあるが、
（一）正常に通信が終了する場合
無線通信端末の通信終了が正常に動作した無線通信シーケンスパターンを予め通信終了正常テーブルに記載（格納）しておき、通信終了正常動作条件テーブルと比較しながら、無線通信端末を監視し、条件が一致した場合に、通信終了であると判断し、自動的に試験を終了し、
（二）正常に通信が終了しない場合
無線通信端末が異常な動作をした無線通信シーケンスパターンを予め端末異常動作条件テーブルに記載しておき、端末異常動作条件テーブルと比較しながら、無線通信端末を監視し、条件が一致した場合に、異常動作であると判断し、強制的に試験を終了する、
ことを意味する。
（６）に「無線通信端末は、ログ解析機能付き無線通信装置から、修正済試験用プログラムに対応した試験用各種テーブルの設定データをダウンロードする機能」とあるが、修正済試験用プログラムは、前回の試験におけるプログラムの問題点を修正しているので、プログラムの問題点が改善されたか否かの確認試験の時、プログラムを修正した側が試験用各種テーブルのデータを設定して試験内容を決めた方が都合の良い場合がある（例えば、プログラムの問題点が改善されたか否かの確認試験）。その場合には、修正済試験用プログラムと同時に修正済試験用プログラムに対応し、試験用各種テーブル格納メモリに格納された設定データもダウンロードする。
【０１０７】
実施例４は、未だ動作が完全に保証されていない試験用無線通信方式のプログラム、既に動作が完全に保証されている動作確認済無線通信方式のプログラム、未だ動作が完全に保証されていない試験用無線通信プロトコルスタック、および、既に動作が完全に保証されている動作確認済無線通信プロトコルスタックを具備するソフトウェア無線技術を用いた無線通信端末の無線通信方式のプログラムと無線通信プロトコルスタックとに関する試験方法であり、これを図６に示す。
【０１０８】
図６は、本発明の無線通信端末の試験方法を適用したシステムを示す図である。
無線通信端末７は、コントローラ５０を制御中心部として、発信および着信作動トリガ条件テーブル用メモリ５１と、ディジタル汎用ハードウェア５４ａと、アナログ汎用ハードウェア５４ｂと、プログラム度差用メモリ５５と、試験用プログラム格納用不揮発性メモリ５６と、動作確認済プログラム格納用不揮発性メモリ５７と、ログ格納用不揮発性メモリ５８と、リアルタイムログ出力用バッファメモリ５９と、試験実施前に取得した無線通信システムのシステム情報７０と、通信終了作動トリガ条件テーブル７１と、通信終了正常動作条件テーブル７２と、端末異常動作条件テーブル７３と、測定部、タイマー部、およびＧＰＳ測位部を有する端末情報部７４と、ログアップロード範囲テーブル７５と、テーブルダウンロード用バッファメモリ７６とで構成されている。
【０１０９】
無線通信端末７に無線で接続されるログ解析機能付き無線通信装置８は、ログ解析用コントローラ６３を制御中心部として、ログ解析プログラム格納用メモリ６１と、プログラム動作用メモリ６２と、ログ解析結果用メモリ６４とで構成されるログ解析機能８００に、通信用コントローラ６６を制御中心として、ログ格納メモリ６０と、ディジタル汎用ハードウェア６５と、アナログ汎用ハードウェア６７と、プログラム動作用メモリ６８と、動作確認済プログラム格納不揮発性メモリ６９と、試験用各種テーブル格納メモリ８０と、修正済試験用プログラム格納メモリ８１とで構成されるログ解析機能付き無線通信装置本体が接続されたものである。
【０１１０】
ここで、「アップロードするログ情報の範囲を設定する機能」とは、試験時、無線通信端末が採取したログ情報を全てアップロードするのは効率が悪いので、ログ解析に必要な部分のログ情報だけをアップロードする。その為に、予めアップロードするログ範囲をテーブルに設定しておく。例えば、時間的には、発信時の１０秒前から通信の終了時の１０秒後までのログ情報、無線通信プロトコルの階層的には、第三レイヤーの通信メッセージのみのログ情報をアップロードするのがこれに該当する。
【０１１１】
無線通信端末７は、試験用プログラム格納用不揮発性メモリ５６に格納してある試験用無線通信方式のプログラムと試験用無線通信プロトコルスタックとを用い、すなわち、試験用プログラムをプログラム動作用メモリ５５に転送し、試験を実施する。
無線通信端末７は、試験実施中、無線通信端末７の内部動作に関するログ情報を知るために、ログ格納用不揮発性メモリ５８にログ情報を格納する。
無線通信端末７は、ログ格納用不揮発性メモリ５８へのログの書き込みがリアルタイムで間に合わない場合は、一時的に、高速書き込みが可能なリアルタイムログ出力用バッファメモリ５９に書き込み、ログ格納用不揮発性メモリ５８へログ情報の転送を行う。
無線通信端末７は、試験終了後、格納されたログ情報をログ解析機能付き無線通信装置８にアップロードしてログ情報を解析するために、ログ情報のアップロード範囲を決定するログアップロード範囲テーブル７５の設定に応じて、動作確認済プログラム格納用不揮発性メモリ５７に格納してある動作確認済無線通信方式のプログラムと動作確認済無線通信プロトコルスタックとを用いてログ解析機能付き無線通信装置８にログ情報を送信する。
【０１１２】
ログ解析機能付き無線通信装置８は、動作確認済プログラム格納用不揮発性メモリ６９に格納してある動作確認済無線通信方式のプログラムと動作確認済無線通信プロトコルスタックとを用いてログ情報を受信（ダウンロードともいう。）する。
ログ解析機能付き無線通信装置８は、ログ解析プログラム格納用メモリ６１に格納されているプログラム（データを含む）を用いてそのログ情報を解析し、その結果をログ解析結果格納メモリ６４に格納する。
ログ解析機能付き無線通信装置８は、ログ解析結果格納メモリ６４を参照することで、試験用無線通信方式のプログラムと試験用無線通信プロトコルスタックとにおける問題点を修正・更新する。
【０１１３】
ここで、「ログ解析結果格納メモリ６４を参照することで、試験用無線通信方式のプログラムと試験用無線通信プロトコルスタックとにおける問題点を修正・更新する」は、採取したログ情報から、解析（問題点の絞り込み）対象となる無線通信シーケンスを抜き出し、事前にログ解析プログラム格納メモリのデータ領域に記載されている正常な無線通信シーケンスと比較して差異部分を抜き出し、ログ解析結果格納メモリに格納する。この差異情報より、問題点が無線通信処理ソフトウェア（＝プログラム）のどこにあるかを絞り込み、問題点が存在するプログラムを特定する。採取したログ情報を参照しながら、特定したプログラムが正しく作成されているか否かを詳細に調査し、修正点を見出しプログラムを修正する。
【０１１４】
また、「ログ解析機能付き無線通信装置は８、修正済試験用プログラム格納メモリ８１に格納してある修正済試験用無線通信方式のプログラムと試験用無線通信プロトコルスタックのプログラム（データ含む）とを動作確認済プログラム格納用不揮発性メモリ６９に格納してある動作確認済無線通信方式のプログラムと動作確認済試験用無線通信プロトコルスタックとを用いて無線通信端末７に送信する。」とあるが、「動作確認済プログラム格納用不揮発性メモリ６９に格納してある動作確認済無線通信方式のプログラムと動作確認済試験用無線通信プロトコルスタックとを用いて無線通信端末７に送信する。」の意味は、試験用無線通信方式のプログラムと試験用無線通信プロトコルスタックの無線通信処理ソフトウェアは動作が保証されておらず、従って、ログ解析機能付き無線通信装置は、動作確認済無線通信方式のプログラムと動作確認済無線通信プロトコルスタックの無線通信処理ソフトウェアを用いて、無線通信端末に、修正済試験用無線通信方式のプログラムと修正済試験用無線通信プロトコルスタックの無線通信処理ソフトウェア（＝プログラム：データを含む）を送信する。
【０１１５】
また、ログ解析機能付き無線通信装置は、動作確認済無線通信方式のプログラムと動作確認済無線通信プロトコルスタックの無線通信処理ソフトウェアだけを用いて送受信動作をすればよいが、無線通信端末の試験時に、対抗する無線通信端末の機能も兼ねさせるために修正済試験用無線通信方式のプログラムと修正済試験用無線通信プロトコルスタックの無線通信処理ソフトウェアでも動作可能な構成となっている。
【０１１６】
ログ解析機能付き無線通信装置８は、修正済試験用プログラム（データを含む）を作成し、ログ解析機能付き無線通信装置８の修正済試験用プログラム格納用メモリ８１に格納する。
ログ解析機能付き無線通信装置は８、修正済試験用プログラム格納メモリ８１に格納してある修正済試験用無線通信方式のプログラムと試験用無線通信プロトコルスタックのプログラム（データ含む）とを動作確認済プログラム格納用不揮発性メモリ６９に格納してある動作確認済無線通信方式のプログラムと動作確認済試験用無線通信プロトコルスタックとを用いて無線通信端末７に送信する。
【０１１７】
無線通信端末７は、動作確認済プログラム格納用不揮発性メモリ５７に格納してある動作確認済無線通信方式のプログラムと動作確認済無線通信プロトコルスタックとを用いてプログラムを受信し、試験用プログラムダウンロード用バッファメモリ７７に格納し、修正済試験用無線通信方式のプログラムと試験用無線通信プロトコルスタックのプログラムとを動作させるために、プログラム動作用メモリ５５にプログラムを転送する。
【０１１８】
また、無線通信端末７は、ログ解析機能付き無線通信装置８から、修正済試験用プログラムに対応した試験用各種テーブル格納メモリ８０の設定データを受信し、テーブルダウンロード用バッファメモリ７６に一時的に格納し、発信および着信作動トリガ条件テーブル用メモリ５１、通信終了作動トリガ条件テーブル７１、通信終了正常動作条件テーブル７２、および、端末異常動作条件テーブル７３の各種テーブルにデータを転送する。
これらの一連の処理（試験の実施から修正・更新済みのデータの送信までの処理）においてフィードバックループを構成し、繰り返し実行することにより、未完成（未だ確認されていない）の試験用無線通信方式のプログラムと試験用無線通信プロトコルスタックの改善を図る。
【０１１９】
ここで、「無線通信端末７は、動作確認済プログラム格納用不揮発性メモリ５７に格納してある動作確認済無線通信方式のプログラムと動作確認済無線通信プロトコルスタックとを用いてプログラムを受信し、」とあるが、「無線通信端末は、メモリに格納してある方式のプログラムとスタックとを用いてプログラムを受信し、」は、試験用無線通信方式と試験用無線通信プロトコルスタックの無線通信処理ソフトウェアは動作が保証されておらず、従って、無線通信端末は、動作確認済無線通信方式のプログラムと動作確認済無線通信プロトコルスタックの無線通信処理ソフトウェアを用いて、ログ解析機能付き無線通信装置から、修正済試験用無線通信方式のプログラムと修正済試験用無線通信プロトコルスタックの無線通信処理ソフトウェア（＝プログラム：データ含む）を受信することを意味する。
【０１２０】
図８は図６に示した無線通信試験システムのフロー図である。
図８において、無線通信端末７（図６参照）が試験用プログラムを用いて試験を開始すると、コントローラ５０（図６参照）はプログラム動作用メモリ５５に試験用プログラムを転送、および、各種テーブル用メモリ５１、７１、７２、７３、７５にデータを転送し、試験を開始する（ステップＶ１）。
コントローラ５０は、ログをバッファメモリに転送ログをログ採取用不揮発性メモリにストアを開始し（ステップＶ２）、第一から第五の情報を監視する（ステップＶ３）。
コントローラ５０は、発信作動トリガ条件または着信作動トリガ条件が一致するか否かを判定し（ステップＶ４）、一致していないと判定した場合（ステップＶ４／ＮＯ）にはステップＶ４に戻り、一致していると判定した場合（ステップＶ４／ＹＥＳ）には自動発信または自動着信する（ステップＶ５）。
コントローラ５０は、第一から第五の情報を監視し（ステップＶ６）、端末異常動作条件が不一致であるか否かを判定し（ステップＶ７）、不一致であると判定した場合（ステップＶ７／ＹＥＳ）第一から第五の情報を監視し（ステップＶ８）、通信終了作動条件が一致するか否かを判定する（ステップＶ９）。
コントローラ５０は、ステップＶ９で通信終了作動条件が一致していると判定した場合（ステップＶ９／ＹＥＳ）には、通信終了状態が正常であるか否かを判定し（ステップＶ１０）、ステップＶ９で通信終了作動条件が一致していないと判定した場合（ステップＶ９／ＮＯ）にはステップＶ６に戻る。
コントローラ５０は、通信終了状態が正常であると判定した場合（ステップＶ１０／ＹＥＳ）には通信終了正常動作フラグを設定し（ステップＶ１１）、ログのストアを自動終了すると共に試験を自動終了する（ステップＶ１４）。
コントローラ５０は、ステップＶ７で端末異常動作条件が不一致ではないと判断した場合には端末異常動作フラグを設定し（ステップＶ１３）、ログのストアを自動終了すると共に試験を自動終了する（ステップＶ１４）。
コントローラ５０は、ステップＶ１０で通信終了状態が正常ではないと判定した場合（ステップＶ１０／ＮＯ）には、通信終了異常動作フラグを設定し（ステップＶ１２）、ログのストアを自動終了すると共に試験を自動終了する（ステップＶ１４）。
コントローラ５０は、ログのストアを自動終了すると共に試験を自動終了すると、動作確認済みプログラムを用いて、ログ解析機能付き無線通信装置８へログを自動送信する（ステップＶ１５、１６）。
ログ解析機能付き無線通信装置８は無線通信端末７からログを受信すると（ステップＶ１７）、ログ解析機能付き無線通信装置８のログ解析機能８００のログ解析用コントローラ６３は、ログ解析用プログラムを起動し、ログを解析する（ステップＶ１８）。
ログ解析用コントローラ６３は、ログ解析結果をログ解析格納メモリ６４に格納し（ステップＶ１９）、ログ解析結果格納メモリ６４を参照して、ログ解析結果判定がＯＫか否かを判定し（ステップＶ２０）、ＯＫであると判定した場合（ステップＶ２０／ＹＥＳ）には試験用プログラムが完成する。
ログ解析用コントローラ６３は、ＯＫではないと判定した場合（ステップＶ２０／ＮＯ）には、試験用プログラムの修正を行い（ステップＶ２１）、無線通信端末７へ修正済み試験用プログラムおよび試験用各種テーブル（テーブル用メモリ）の設定データを送信し（ステップＶ２２）、修正済み試験用プログラムをバッファメモリで受信し（ステップＶ２３）、試験用各種テーブルの設定データをバッファメモリで受信し、ステップＶ１に戻る（ステップＶ２４）。
【０１２１】
ところで、無線通信端末７の試験の発信および着信の作動については、リアルタイムログモニタ機能による無線通信端末７の内部動作に関するログ情報、例えば、試験実施後に取得した無線通信システムのシステム情報、試験用無線通信方式の仕様を決定する無線通信方式パラメータ、および、試験用無線通信のシーケンスパターンの情報、測定部による測定値情報、例えば、ＲＳＣＰ（各基地局から受信する電波の強さを評価する希望受信電力）、ＲＳＳＩ（受信信号の強度表示であり、移動体通信では他局への不要な妨害の防止と電力の有効利用の目的で、中継局から来る受信信号の強度に合わせて送信電力を制御する。一般にＲＳＳＩはこれに使われる。）、Ｅｃ／Ｎｏ（希望波１チップ当たりのエネルギー対帯域内受信電力密度比）、ＢＬＥＲ（ＣＲＣを付加しているブロックを単位として、ＣＲＣ検査結果で誤りが見つかったブロック数の割合）、および、ＳＩＲ、時刻機能による時刻情報、ＧＰＳ測位部による位置情報、および、試験実施前に取得した無線通信システムのシステム情報等の端末情報を監視し、端末情報により構成される発信および着信の作動条件を発信および着信作動条件テーブル用メモリ５１に予め設定し、作動トリガ条件が設定条件と一致した場合に、発信および着信を自動的に実施する。
【０１２２】
無線通信端末７の試験の通信終了の作動については、端末情報により構成される通信終了の作動条件を通信終了作動トリガ条件テーブル７１に予め設定し、作動トリガ条件が設定条件と一致した場合に、通信終了を自動的に実施する。
また、端末情報により構成される通信終了正常動作の条件を通信終了正常動作条件テーブル７２に予め設定し、作動トリガ条件が設定条件と一致した時は、無線通信端末７は、通信終了が正常動作したと判断し、無線通信端末７は、動作確認済無線通信方式のプログラムと動作確認済無線通信プロトコルスタックとへ自動的に切り替え、格納されたログ情報、および、通信終了正常動作フラグをログ解析機能付き無線通信装置８に自動的に送信し、作動トリガ条件が設定条件と一致しなかった時、ログ解析機能付き無線通信装置８は通信終了が異常動作したと判断し、無線通信端末７は、動作確認済無線通信方式のプログラムと動作確認済無線通信プロトコルスタックとへ強制的に切り替え、格納されたログ情報、および、通信終了異常動作フラグをログ解析機能付き無線通信装置８に自動的に送信する。
【０１２３】
さらに、無線通信端末７は、端末情報により構成される端末異常動作の条件を端末異常動作条件テーブル７３に予め設定し、作動トリガ条件が設定条件と一致した時、無線通信端末７が異常動作したと判断し、無線通信端末７は、動作確認済無線通信方式のプログラムと動作確認済無線通信プロトコルスタックとへ強制的に切り替え、格納されたログ情報、および、端末異常動作フラグをログ解析機能付き無線通信装置８に自動的に送信するように構成してもよい。
【図面の簡単な説明】
【０１２４】
【図１】本発明の無線通信端末の試験方法を適用したシステムを示す図である（実施例１）。
【図２】本発明の無線通信端末試験方法を適用した他のシステムを示す図である（実施例２）。
【図３】図１に示した無線通信試験システムのフロー図である。
【図４】図２に示した無線通信試験システムのフロー図である。
【図５】本発明の無線通信端末の試験方法を適用したシステムを示す図である（実施例３）。
【図６】本発明の無線通信端末の試験方法を適用したシステムを示す図である（実施例４）。
【図７】図５に示した無線通信試験システムのフロー図である。
【図８】図６に示した無線通信試験システムのフロー図である。
【符号の説明】
【０１２５】
１、３    無線通信端末
２、４    ログ解析機能付き無線通信装置
１０    通信用ＭＰＵ
１１    ログ取得用不揮発性メモリ
１２    バッファメモリ
１３    通信動作メモリ
１４    汎用ハードウェアディジタル
１５    動作確認済ソフトウェア格納メモリ
１６    試験用ソフトウェア格納メモリ
１７    汎用ハードウェアアナログ
２０    ＭＰＵ
２１    ログ格納メモリ
２２    バッファメモリ
２３    動作メモリ
２４    汎用ハードウェアディジタル
２５    動作確認済ソフトウェア格納メモリ
２７    汎用ハードウェアアナログ
２８    ログ解析用ソフトウェア格納メモリ
【図１】
2005071324.tif 000003
【図２】
2005071324.tif 000004
【図３】
2005071324.tif 000005
【図４】
2005071324.tif 000006
【図５】
2005071324.tif 000007
【図６】
2005071324.tif 000008
【図７】
2005071324.tif 000009
【図８】
2005071324.tif 000010